(57)【要約】  無線デバイスにおいてアクセス手順を実施する方法は、ネットワークノードから指示を受信することであって、指示が、物理ランダムアクセスチャネル（ＰＲＡＣＨ）プリアンブル送信に対する複数のＰＲＡＣＨリソースの割当てを含み、複数のＰＲＡＣＨリソースが、時間リソース、周波数リソース、およびシーケンスの第１の組み合わせおよび第２の組み合わせのうち１つを含み、第１の組み合わせが、複数の時間リソース、１つまたは複数の周波数リソース、および第１の複数のシーケンスを含み、第２の組み合わせが、１つまたは複数の時間リソース、複数の周波数リソース、および第２の複数のシーケンスを含む、ことと、複数のＰＲＡＣＨリソースの中からＰＲＡＣＨリソースを選択することと、を含む。この方法を実施する無線デバイスも開示される。【選択図】図１３
2019537891.tif 000002
【特許請求の範囲】
【請求項１】
複数の物理ランダムアクセスチャネル（ＰＲＡＣＨ）リソースの割当ての指示を無線デバイスに対して送出することであって、前記複数のＰＲＡＣＨリソースが、時間リソース、周波数リソース、およびシーケンスの第１の組み合わせおよび第２の組み合わせのうち１つを含み、前記第１の組み合わせが、複数の時間リソース、１つまたは複数の周波数リソース、および第１の複数のシーケンスを含み、前記第２の組み合わせが、１つまたは複数の時間リソース、複数の周波数リソース、および第２の複数のシーケンスを含む、送出することと、
前記複数の時間リソースおよび前記１つまたは複数の時間リソースの一方から選択された時間リソースの間に、また前記１つまたは複数の周波数リソースおよび前記複数の周波数の一方から選択された周波数リソースにおいて、ＰＲＡＣＨプリアンブルを前記無線デバイスから受信することであって、前記ＰＲＡＣＨプリアンブルが、前記第１の複数のシーケンスおよび前記第２の複数のシーケンスの一方から選択されたシーケンスを含む、受信することとを含む、ネットワークノードにおいてアクセス手順を実施する方法。
【請求項２】
前記第１の組み合わせからの前記複数の時間リソースが時間間隔を含む、請求項１に記載の方法。
【請求項３】
前記第１の組み合わせからの前記複数の時間リソースが、同期信号からの複数のタイミングオフセットを含む、請求項１に記載の方法。
【請求項４】
前記第２の組み合わせからの前記１つまたは複数の時間リソースが、時間または時間間隔を含む、請求項１に記載の方法。
【請求項５】
前記第２の組み合わせからの前記１つまたは複数の時間リソースが、同期信号からの１つまたは複数のタイミングオフセットを含む、請求項１に記載の方法。
【請求項６】
前記第１の組み合わせからの前記１つまたは複数の周波数リソースが、周波数または周波数間隔を含む、請求項１または２に記載の方法。
【請求項７】
前記第１の組み合わせからの前記１つまたは複数の周波数リソースが、ＰＲＡＣＨ信号の位置を示す１つまたは複数の周波数サブバンドを含む、請求項１または３に記載の方法。
【請求項８】
前記第２の組み合わせからの前記複数の周波数リソースが周波数間隔を含む、請求項１または４に記載の方法。
【請求項９】
前記第２の組み合わせからの前記複数の周波数リソースが、ＰＲＡＣＨ信号の位置を示す複数の周波数サブバンドを含む、請求項１または５に記載の方法。
【請求項１０】
前記第１および第２の複数のシーケンスが、ルートシーケンスのセットおよびサイクリックシフトのセットの組み合わせを含む、請求項１から９のいずれか一項に記載の方法。
【請求項１１】
前記複数のＰＲＡＣＨリソースの前記割当てが、同期信号と関連付けられた物理ブロードキャストチャネル（ＰＢＣＨ）によって保持される、請求項１から１０のいずれか一項に記載の方法。
【請求項１２】
前記複数のＰＲＡＣＨリソースの前記割当ての前記指示が、前記物理ブロードキャストチャネル（ＰＢＣＨ）のマスタ情報ブロック（ＭＩＢ）によって与えられる、請求項１１に記載の方法。
【請求項１３】
いくつかの同期信号およびＰＢＣＨ送信を異なるビームで送信することを更に含む、請求項１１に記載の方法。
【請求項１４】
前記ＭＩＢが、前記第１の組み合わせを示す場合、前記複数の時間リソースを示す第１のインジケータと、前記１つまたは複数の周波数リソースを示す第２のインジケータと、前記複数のシーケンスを示す第３のインジケータとを含み、前記第１、第２、および第３のインジケータが別個のインジケータである、請求項１２に記載の方法。
【請求項１５】
前記ＭＩＢが、前記第１の組み合わせを示す場合、時間リソース、周波数リソース、およびシーケンスの組み合わせを示すＰＲＡＣＨプリアンブルインデックスを含む、請求項１２に記載の方法。
【請求項１６】
前記ＰＲＡＣＨプリアンブルインデックスがテーブルにマッピングされ、前記テーブルがインデックスのリストを有し、各インデックスが、複数の時間リソース、１つまたは複数の周波数リソース、および複数のシーケンスの１つの構成に対応する、請求項１５に記載の方法。
【請求項１７】
前記ＭＩＢが、前記第１の組み合わせを示す場合、時間リソース、周波数リソース、およびシーケンスの許可された組み合わせのセットを明示的にリスト化する、請求項１２に記載の方法。
【請求項１８】
前記ＭＩＢが、前記第２の組み合わせを示す場合、前記１つまたは複数の時間リソースを示す第１のインジケータと、前記複数の周波数リソースを示す第２のインジケータと、前記複数のシーケンスを示す第３のインジケータとを含み、前記第１、第２、および第３のインジケータが別個のインジケータである、請求項１２に記載の方法。
【請求項１９】
前記ＭＩＢが、前記第２の組み合わせを示す場合、時間リソース、周波数リソース、およびシーケンスの組み合わせを示すＰＲＡＣＨプリアンブルインデックスを含む、請求項１２に記載の方法。
【請求項２０】
前記ＰＲＡＣＨプリアンブルインデックスがテーブルにマッピングされ、前記テーブルがインデックスのリストを有し、各インデックスが、１つまたは複数の時間リソース、複数の周波数リソース、および複数のシーケンスの１つの構成に対応する、請求項１９に記載の方法。
【請求項２１】
前記ＭＩＢが、前記第２の組み合わせを示す場合、時間リソース、周波数リソース、およびシーケンスの許可された組み合わせのセットを明示的にリスト化する、請求項１２に記載の方法。
【請求項２２】
ネットワークノードの処理回路によって実行されると、実施形態１から２１の方法のいずれか１つを前記ネットワークに実施させる実行可能命令を含む、コンピュータプログラム。
【請求項２３】
電子信号、光信号、無線信号、またはコンピュータ可読記憶媒体のうち１つである、請求項２２のコンピュータプログラムを収容したキャリア。
【請求項２４】
異種通信ネットワークの中継ノードの処理回路によって実行されると、実施形態１から２１の方法のいずれか１つを前記中継ノードに実施させる実行可能命令を含むコンピュータプログラムを収容した、非一時的コンピュータ可読記憶媒体。
【請求項２５】
アクセス手順を実施するネットワークノードであって、処理回路構成と該処理回路構成に接続されたメモリとを含み、前記メモリが命令を含み、前記命令が実行されると、
複数の物理ランダムアクセスチャネル（ＰＲＡＣＨ）リソースの割当ての指示を無線デバイスに対して送出することであって、前記複数のＰＲＡＣＨリソースが、時間リソース、周波数リソース、およびシーケンスの第１の組み合わせおよび第２の組み合わせのうち１つを含み、前記第１の組み合わせが、複数の時間リソース、１つまたは複数の周波数リソース、および第１の複数のシーケンスを含み、前記第２の組み合わせが、１つまたは複数の時間リソース、複数の周波数リソース、および第２の複数のシーケンスを含む、送出することと、
前記複数の時間リソースおよび前記１つまたは複数の時間リソースの一方から選択された時間リソースの間に、また前記１つまたは複数の周波数リソースおよび前記複数の周波数リソースの一方から選択された周波数リソースにおいて、ＰＲＡＣＨプリアンブルを前記無線デバイスから受信することであって、前記ＰＲＡＣＨプリアンブルが、前記第１の複数のシーケンスおよび前記第２の複数のシーケンスの一方から選択されたシーケンスを含む、受信することとを、前記処理回路構成が行う、ネットワークノード。
【請求項２６】
前記第１の組み合わせからの前記複数の時間リソースが時間間隔を含む、請求項２５に記載のネットワークノード。
【請求項２７】
前記第１の組み合わせからの前記複数の時間リソースが、同期信号からの複数のタイミングオフセットを含む、請求項２５に記載のネットワークノード。
【請求項２８】
前記第２の組み合わせからの前記１つまたは複数の時間リソースが、時間または時間間隔を含む、請求項２５に記載のネットワークノード。
【請求項２９】
前記第２の組み合わせからの前記１つまたは複数の時間リソースが、同期信号からの１つまたは複数のタイミングオフセットを含む、請求項２５に記載のネットワークノード。
【請求項３０】
前記第１の組み合わせからの前記１つまたは複数の周波数リソースが、周波数または周波数間隔を含む、請求項２５または２６に記載のネットワークノード。
【請求項３１】
前記第１の組み合わせからの前記１つまたは複数の周波数リソースが、ＰＲＡＣＨ信号の位置を示す１つまたは複数の周波数サブバンドを含む、請求項２５または２７に記載のネットワークノード。
【請求項３２】
前記第２の組み合わせからの前記複数の周波数リソースが周波数間隔を含む、請求項２５または２８に記載のネットワークノード。
【請求項３３】
前記第２の組み合わせからの前記複数の周波数リソースが、ＰＲＡＣＨ信号の位置を示す複数の周波数サブバンドを含む、請求項２５または２９に記載のネットワークノード。
【請求項３４】
前記第１および第２の複数のシーケンスが、ルートシーケンスのセットおよびサイクリックシフトのセットの組み合わせを含む、請求項２５から３３のいずれか一項に記載のネットワークノード。
【請求項３５】
前記処理回路構成が、同期信号と関連付けられた物理ブロードキャストチャネル（ＰＢＣＨ）における、前記複数のＰＲＡＣＨリソースの前記割当ての前記指示を送出するように構成される、請求項２５から３４のいずれか一項に記載のネットワークノード。
【請求項３６】
前記複数のＰＲＡＣＨリソースの前記割当ての前記指示が、前記物理ブロードキャストチャネル（ＰＢＣＨ）のマスタ情報ブロック（ＭＩＢ）によって与えられる、請求項３５に記載のネットワークノード。
【請求項３７】
前記処理回路構成が、異なるビームを使用していくつかの同期信号およびＰＢＣＨ送信を送出するように構成される、請求項２５に記載のネットワークノード。
【請求項３８】
前記ＭＩＢが、前記第１の組み合わせを示す場合、前記複数の時間リソースを示す第１のインジケータと、前記１つまたは複数の周波数リソースを示す第２のインジケータと、前記複数のシーケンスを含む第３のインジケータとを含み、前記第１、第２、および第３のインジケータが別個のインジケータである、請求項３６に記載のネットワークノード。
【請求項３９】
前記ＭＩＢが、前記第１の組み合わせを示す場合、時間リソース、周波数リソース、およびシーケンスの組み合わせを示すＰＲＡＣＨプリアンブルインデックスを含む、請求項３６に記載のネットワークノード。
【請求項４０】
前記ＰＲＡＣＨプリアンブルインデックスがテーブルにマッピングされ、前記テーブルがインデックスのリストを有し、各インデックスが、複数の時間リソース、１つまたは複数の周波数リソース、および複数のシーケンスの１つの構成に対応する、請求項３９に記載のネットワークノード。
【請求項４１】
前記ＭＩＢが、前記第１の組み合わせを示す場合、時間リソース、周波数リソース、およびシーケンスの許可された組み合わせのセットを明示的にリスト化する、請求項３６に記載のネットワークノード。
【請求項４２】
前記ＭＩＢが、前記第２の組み合わせを示す場合、前記１つまたは複数の時間リソースを示す第１のインジケータと、前記複数の周波数リソースを示す第２のインジケータと、前記複数のシーケンスを示す第３のインジケータとを含み、前記第１、第２、および第３のインジケータが別個のインジケータである、請求項３６に記載のネットワークノード。
【請求項４３】
前記ＭＩＢが、前記第２の組み合わせを示す場合、時間リソース、周波数リソース、およびシーケンスの組み合わせを示すＰＲＡＣＨプリアンブルインデックスを含む、請求項３６に記載のネットワークノード。
【請求項４４】
前記ＰＲＡＣＨプリアンブルインデックスがテーブルにマッピングされ、前記テーブルがインデックスのリストを有し、各インデックスが、１つまたは複数の時間リソース、複数の周波数リソース、および複数のシーケンスの１つの構成に対応する、請求項４３に記載のネットワークノード。
【請求項４５】
前記ＭＩＢが、前記第２の組み合わせを示す場合、時間リソース、周波数リソース、およびシーケンスの許可された組み合わせのセットを明示的にリスト化する、請求項３６に記載のネットワークノード。
【請求項４６】
無線デバイスにおいてアクセス手順を実施する方法であって、
ネットワークノードから指示を受信することであって、前記指示が、物理ランダムアクセスチャネル（ＰＲＡＣＨ）プリアンブル送信に対する複数のＰＲＡＣＨリソースの割当てを含み、前記複数のＰＲＡＣＨリソースが、時間リソース、周波数リソース、およびシーケンスの第１の組み合わせおよび第２の組み合わせのうち１つを含み、前記第１の組み合わせが、複数の時間リソース、１つまたは複数の周波数リソース、および第１の複数のシーケンスを含み、前記第２の組み合わせが、１つまたは複数の時間リソース、複数の周波数リソース、および第２の複数のシーケンスを含む、受信することと、
前記複数のＰＲＡＣＨリソースの中からＰＲＡＣＨリソースを選択することであって、前記選択されたＰＲＡＣＨリソースが、前記複数の時間リソースおよび前記１つまたは複数の時間リソースの一方から選択された時間リソース、前記１つまたは複数の周波数リソースおよび前記複数の周波数リソースの一方から選択された周波数リソース、ならびに前記第１の複数のシーケンスおよび前記第２の複数のシーケンスの一方から選択されたシーケンスと関連付けられる、選択することと、
前記選択された時間リソースの間に、前記選択された周波数リソースにおいて前記選択されたシーケンスを含むＰＲＡＣＨプリアンブルを、前記ネットワークノードに送信することとを含む、方法。
【請求項４７】
前記ＰＲＡＣＨリソースを選択することが、前記複数のＰＲＡＣＨリソースの中からＰＲＡＣＨリソースを無作為に選択することを含む、請求項４６に記載の方法。
【請求項４８】
前記ＰＲＡＣＨリソースを選択することが、特定の判定基準に基づいてＰＲＡＣＨリソースを選択することを含む、請求項４６に記載の方法。
【請求項４９】
前記第１の組み合わせからの前記複数の時間リソースが時間間隔を含む、請求項４６から４８のいずれか一項に記載の方法。
【請求項５０】
前記第１の組み合わせからの前記複数の時間リソースが、同期信号からの複数のタイミングオフセットを含む、請求項４６から４８のいずれか一項に記載の方法。
【請求項５１】
前記第２の組み合わせからの前記１つまたは複数の時間リソースが、時間または時間間隔を含む、請求項４６から４８のいずれか一項に記載の方法。
【請求項５２】
前記第２の組み合わせからの前記１つまたは複数の時間リソースが、同期信号からの１つまたは複数のタイミングオフセットを含む、請求項４６から４８のいずれか一項に記載の方法。
【請求項５３】
前記第１の組み合わせからの前記１つまたは複数の周波数リソースが、周波数または周波数間隔を含む、請求項４９に記載の方法。
【請求項５４】
前記第１の組み合わせからの前記１つまたは複数の周波数リソースが、ＰＲＡＣＨ信号の位置を示す１つまたは複数の周波数サブバンドを含む、請求項５０に記載の方法。
【請求項５５】
前記第２の組み合わせからの前記複数の周波数リソースが周波数間隔を含む、請求項５１に記載の方法。
【請求項５６】
前記第２の組み合わせからの前記複数の周波数リソースが、ＰＲＡＣＨ信号の位置を示す複数の周波数サブバンドを含む、請求項５２に記載の方法。
【請求項５７】
前記第１および第２の複数のシーケンスが、ルートシーケンスのセットおよびサイクリックシフトのセットの組み合わせを含む、請求項４６から５６のいずれか一項に記載の方法。
【請求項５８】
前記複数のＰＲＡＣＨリソースの前記割当てが、同期信号と関連付けられた物理ブロードキャストチャネル（ＰＢＣＨ）によって保持される、請求項４６から５７のいずれか一項に記載の方法。
【請求項５９】
前記複数のＰＲＡＣＨリソースの前記割当ての前記指示が、前記物理ブロードキャストチャネル（ＰＢＣＨ）のマスタ情報ブロック（ＭＩＢ）によって与えられる、請求項５４に記載の方法。
【請求項６０】
いくつかの同期信号およびＰＢＣＨ送信が、異なるビームで前記ネットワークノードから送信される、請求項５４に記載の方法。
【請求項６１】
前記ＭＩＢが、前記第１の組み合わせを示す場合、前記複数の時間リソースを示す第１のインジケータと、前記１つまたは複数の周波数リソースを示す第２のインジケータと、前記複数のシーケンスを示す第３のインジケータとを含み、前記第１、第２、および第３のインジケータが別個のインジケータである、請求項５９に記載の方法。
【請求項６２】
前記ＭＩＢが、前記第１の組み合わせを示す場合、時間リソース、周波数リソース、およびシーケンスの組み合わせを示すＰＲＡＣＨプリアンブルインデックスを含む、請求項５９に記載の方法。
【請求項６３】
前記ＰＲＡＣＨプリアンブルインデックスがテーブルにマッピングされ、前記テーブルがインデックスのリストを有し、各インデックスが、複数の時間リソース、１つまたは複数の周波数リソース、および複数のシーケンスの１つの構成に対応する、請求項６２に記載の方法。
【請求項６４】
前記ＭＩＢが、前記第１の組み合わせを示す場合、時間リソース、周波数リソース、およびシーケンスの許可された組み合わせのセットを明示的にリスト化する、請求項５９に記載の方法。
【請求項６５】
前記ＭＩＢが、前記第２の組み合わせを示す場合、前記１つまたは複数の時間リソースを示す第１のインジケータと、前記複数の周波数リソースを示す第２のインジケータと、前記複数のシーケンスを示す第３のインジケータとを含み、前記第１、第２、および第３のインジケータが別個のインジケータである、請求項５９に記載の方法。
【請求項６６】
前記ＭＩＢが、前記第２の組み合わせを示す場合、時間リソース、周波数リソース、およびシーケンスの組み合わせを示すＰＲＡＣＨプリアンブルインデックスを含む、請求項５９に記載の方法。
【請求項６７】
前記ＰＲＡＣＨプリアンブルインデックスがテーブルにマッピングされ、前記テーブルがインデックスのリストを有し、各インデックスが、１つまたは複数の時間リソース、複数の周波数リソース、および複数のシーケンスの１つの構成に対応する、請求項６６に記載の方法。
【請求項６８】
前記ＭＩＢが、前記第２の組み合わせを示す場合、時間リソース、周波数リソース、およびシーケンスの許可された組み合わせのセットを明示的にリスト化する、請求項５９に記載の方法。
【請求項６９】
前記選択されたシーケンスに基づいてＰＲＡＣＨプリアンブルを生成することを更に含む、請求項４６から６８のいずれか一項に記載の方法。
【請求項７０】
アクセス手順を実施する無線デバイスであって、処理回路構成と該処理回路構成に接続されたメモリとを含み、前記メモリが命令を含み、前記命令が実行されると、
ネットワークノードから指示を受信することであって、前記指示が、物理ランダムアクセスチャネル（ＰＲＡＣＨ）プリアンブル送信に対する複数のＰＲＡＣＨリソースの割当てを含み、前記複数のＰＲＡＣＨリソースが、時間リソース、周波数リソース、およびシーケンスの第１の組み合わせおよび第２の組み合わせのうち１つを含み、前記第１の組み合わせが、複数の時間リソース、１つまたは複数の周波数リソース、および第１の複数のシーケンスを含み、前記第２の組み合わせが、１つまたは複数の時間リソース、複数の周波数リソース、および第２の複数のシーケンスを含む、受信することと、
前記複数のＰＲＡＣＨリソースの中からＰＲＡＣＨリソースを選択することであって、前記選択されたＰＲＡＣＨリソースが、前記複数の時間リソースおよび前記１つまたは複数の時間リソースの一方から選択された時間リソース、前記１つまたは複数の周波数リソースおよび前記複数の周波数リソースの一方から選択された周波数リソース、ならびに前記第１の複数のシーケンスおよび前記第２の複数のリソースの一方から選択されたシーケンスと関連付けられる、選択することと、
前記選択された時間リソースの間に、前記選択された周波数リソースにおいて前記選択されたシーケンスを含むＰＲＡＣＨプリアンブルを、前記ネットワークノードに送信することとを、前記処理回路構成が行う、無線デバイス。
【請求項７１】
前記処理回路構成が、前記複数のＰＲＡＣＨリソースの中からＰＲＡＣＨリソースを無作為に選択するように構成される、請求項７０に記載の無線デバイス。
【請求項７２】
前記処理回路構成が、特定の判定基準に基づいてＰＲＡＣＨリソースを選択するように構成される、請求項７０に記載の無線デバイス。
【請求項７３】
前記第１の組み合わせからの前記複数の時間リソースが時間間隔を含む、請求項７０から７２のいずれか一項に記載の無線デバイス。
【請求項７４】
前記第１の組み合わせからの前記複数の時間リソースが、同期信号からの複数のタイミングオフセットを含む、請求項７０から７２のいずれか一項に記載の無線デバイス。
【請求項７５】
前記第２の組み合わせからの前記１つまたは複数の時間リソースが、時間または時間間隔を含む、請求項７０から７２のいずれか一項に記載の無線デバイス。
【請求項７６】
前記第２の組み合わせからの前記１つまたは複数の時間リソースが、同期信号からの１つまたは複数のタイミングオフセットを含む、請求項７０から７２のいずれか一項に記載の無線デバイス。
【請求項７７】
前記第１の組み合わせからの前記１つまたは複数の周波数リソースが、周波数または周波数間隔を含む、請求項７３に記載の無線デバイス。
【請求項７８】
前記第１の組み合わせからの前記１つまたは複数の周波数リソースが、ＰＲＡＣＨ信号の位置を示す１つまたは複数の周波数サブバンドを含む、請求項７４に記載の無線デバイス。
【請求項７９】
前記第２の組み合わせからの前記複数の周波数リソースが周波数間隔を含む、請求項７５に記載の無線デバイス。
【請求項８０】
前記第２の組み合わせからの前記複数の周波数リソースが、ＰＲＡＣＨ信号の位置を示す複数の周波数サブバンドを含む、請求項７６に記載の無線デバイス。
【請求項８１】
前記第１および第２の複数のシーケンスが、ルートシーケンスのセットおよびサイクリックシフトのセットの組み合わせを含む、請求項７０から８０のいずれか一項に記載の無線デバイス。
【請求項８２】
前記処理回路構成が、同期信号と関連付けられた物理ブロードキャストチャネル（ＰＢＣＨ）における、前記複数のＰＲＡＣＨリソースの前記割当ての前記指示を受信するように構成される、請求項７０に記載の無線デバイス。
【請求項８３】
前記処理回路構成が、前記物理ブロードキャストチャネル（ＰＢＣＨ）のマスタ情報ブロック（ＭＩＢ）における、前記複数のＰＲＡＣＨリソースの前記割当ての前記指示を受信するように構成される、請求項８２に記載の無線デバイス。
【請求項８４】
前記処理回路構成が、いくつかの同期信号およびＰＢＣＨ送信を異なるビームで受信するように構成される、請求項８２に記載の無線デバイス。
【請求項８５】
前記ＭＩＢが、前記第１の組み合わせを示す場合、前記複数の時間リソースを示す第１のインジケータと、前記１つまたは複数の周波数リソースを示す第２のインジケータと、前記複数のシーケンスを示す第３のインジケータとを含み、前記第１、第２、および第３のインジケータが別個のインジケータである、請求項８３に記載の無線デバイス。
【請求項８６】
前記ＭＩＢが、前記第１の組み合わせを示す場合、時間リソース、周波数リソース、およびシーケンスの組み合わせを示すＰＲＡＣＨプリアンブルインデックスを含む、請求項８３に記載の無線デバイス。
【請求項８７】
前記ＰＲＡＣＨプリアンブルインデックスがテーブルにマッピングされ、前記テーブルがインデックスのリストを有し、各インデックスが、複数の時間リソース、１つまたは複数の周波数リソース、および複数のシーケンスの１つの構成に対応する、請求項８６に記載の無線デバイス。
【請求項８８】
前記ＭＩＢが、前記第１の組み合わせを示す場合、時間リソース、周波数リソース、およびシーケンスの許可された組み合わせのセットを明示的にリスト化する、請求項８３に記載の無線デバイス。
【請求項８９】
前記ＭＩＢが、前記第２の組み合わせを示す場合、前記１つまたは複数の時間リソースを示す第１のインジケータと、前記複数の周波数リソースを示す第２のインジケータと、前記複数のシーケンスを示す第３のインジケータとを含み、前記第１、第２、および第３のインジケータが別個のインジケータである、請求項８３に記載の無線デバイス。
【請求項９０】
前記ＭＩＢが、前記第２の組み合わせを示す場合、時間リソース、周波数リソース、およびシーケンスの組み合わせを示すＰＲＡＣＨプリアンブルインデックスを含む、請求項８３に記載の無線デバイス。
【請求項９１】
前記ＰＲＡＣＨプリアンブルインデックスがテーブルにマッピングされ、前記テーブルがインデックスのリストを有し、各インデックスが、１つまたは複数の時間リソース、複数の周波数リソース、および複数のシーケンスの１つの構成に対応する、請求項９０に記載の無線デバイス。
【請求項９２】
前記ＭＩＢが、前記第２の組み合わせを示す場合、時間リソース、周波数リソース、およびシーケンスの許可された組み合わせのセットを明示的にリスト化する、請求項８３に記載の無線デバイス。
【請求項９３】
前記処理回路構成が、前記選択されたシーケンスに基づいてＰＲＡＣＨプリアンブルを生成するように構成される、請求項７０から９２のいずれか一項に記載の無線デバイス。
【発明の詳細な説明】
【技術分野】
【０００１】
関連出願の相互参照
本出願は、２０１６年１１月４日に米国特許商標庁に提出された、「通信ネットワークにおいてアクセス手順を実施する方法および無線ノード（Ｍｅｔｈｏｄｓ  ａｎｄ  Ｒａｄｉｏ  Ｎｏｄｅｓ  ｆｏｒ  ｐｅｒｆｏｒｍｉｎｇ  ａｎ  ａｃｃｅｓｓ  ｐｒｏｃｅｄｕｒｅ  ｉｎ  ａ  ｃｏｍｍｕｎｉｃａｔｉｏｎ  ｎｅｔｗｏｒｋ）」という名称の米国仮特許出願第６２／４１７，５４１号の優先権の利益を主張し、該出願の内容を参照により本明細書に援用する。
【０００２】
本開示は、通信ネットワークにおいてアクセス手順を実施する方法および無線ノードに関する。
【背景技術】
【０００３】
ランダムアクセス（ＲＡ）手順は、セルラー通信ネットワークにおける重要な機能である。その機能により、ユーザ機器（ＵＥ）がネットワークへの接続を望んでいることをネットワークが知ることが可能になり、ＵＥがネットワークへのアクセスを得ることが可能になる。ＲＡ手順はまた、待機モードから能動モードへの移行、およびハンドオーバに使用される。
【０００４】
ロングタームエボリューション（ＬＴＥ）ネットワークでは、ネットワークにアクセスしたいＵＥが、図１に示されるような初期アクセス手順１００の一部であるランダムアクセス手順を始動する。
【０００５】
ＵＥがｅＮｏｄｅＢ（ｅＮＢ）などの基地局と通信する前に、ＵＥをネットワークと同期させる必要がある。そのため、ＵＥは初期同期プロセスを経て、ＵＥは、ステップ１１０で、１つまたは複数の同期信号（ＳＳ）を、例えばプライマリＳＳ（ＰＳＳ）、セカンダリＳＳ（ＳＳＳ）、新無線（ＮＲ）ＰＳＳ（ＮＲ−ＰＳＳ）、ＮＲ−ＳＳＳなどを、ｅＮＢまたはｇＮＢから受信する。
【０００６】
ステップ１２０で、ｅＮＢは、物理ブロードキャストチャネル（ＰＢＣＨ）またはＮＲ−ＰＢＣＨなどのブロードキャストチャネルに、構成パラメータを送出する。例えば、構成パラメータはマスタ情報ブロック（ＭＩＢ）において与えられる。
【０００７】
同期されると、ＵＥはＭＩＢを読み取って、構成パラメータを認識／取得することができる。次に、ステップ１３０で、ＵＥは、物理ランダムアクセスチャネル（ＰＲＡＣＨ）のアップリンクで、Ｍｅｓｓａｇｅ  １（Ｍｓｇ１）の形でプリアンブルをｅＮＢに送信する。ｅＮＢは、プリアンブルを受信し、ＵＥからのランダムアクセス試行を検出する。次に、ｅＮＢは、ステップ１４０で、ランダムアクセス応答（ＲＡＲ）をＭｅｓｓａｇｅ  ２（Ｍｓｇ２）の形で送信することによって、ダウンリンクでＵＥに応答する。ＲＡＲは、端末／ＵＥ識別のための以下の後続メッセージをアップリンクで送信することによって、ＵＥが手順を継続するためのアップリンクスケジューリンググラントを保持している（ステップ１５０）。また、ＵＥは、無線リソース接続（ＲＲＣ）要求をＭｓｇ３の形でｅＮＢに対して送出する（ステップ１５０）。
【０００８】
ステップ１６０で、ｅＮＢは、物理ダウンリンク制御チャネル（ＰＤＣＣＨ）に関するダウンリンク制御情報を送出することによって、Ｍｓｇ３に応答する。更に、ステップ１７０で、ｅＮＢは、物理ダウンリンク共有チャネル（ＰＤＳＣＨ）に関して、Ｍｅｓｓａｇｅ  ４（Ｍｓｇ４）の形で競合解消メッセージを用いて応答する。
【０００９】
図１に示したものと同様の手順が、新無線（ＮＲ）に関して想起される。そのため、ｅＮＢは、ｇＮＢまたはＴＲＰ（送受信ポイント、即ち基地局、アクセスノード）に置き換えられる。
【００１０】
ＮＲ  ＰＲＡＣＨプリアンブルの可能な設計は、［Ｒ１−１６０９６７１，“ＮＲ  ＰＲＡＣＨ  ｐｒｅａｍｂｌｅ  ｄｅｓｉｇｎ”，３ＧＰＰ  ＴＳＧ−ＲＡＮ  ＷＧ１  ＃８６ｂｉｓ，Ｌｉｓｂｏｎ，Ｐｏｒｔｕｇａｌ，Ｓｅｐｔｅｍｂｅｒ  １０−１４，２０１６］に記載されており、図２に例示する。
【００１１】
図２は、プリアンブルがＯＦＤＭシンボルを繰り返すことによって構築される、ＰＲＡＣＨプリアンブルフォーマットを示している。より具体的には、各ＯＦＤＭシンボルが次のＯＦＤＭシンボルに対するサイクリックプレフィックスとして作用するようにして、１つのＯＦＤＭシンボルが複数回繰り返される。しかしながら、繰り返されるＯＦＤＭシンボルは、ＬＴＥ  ＰＲＡＣＨと比べて長さがはるかに短く、隣接するユーザデータのＯＦＤＭシンボルと同じ長さを有する。ＯＦＤＭシンボルの長さを低減すると、利用可能なプリアンブルシーケンスの数が低減される。
【００１２】
いくつかのＳＳ（ＮＲ−ＰＳＳおよびＮＲ−ＳＳＳ）に共通であるＰＲＡＣＨリソースは、［Ｒ１−１６０９６７０，“ＮＲ  ｒａｎｄｏｍ  ａｃｃｅｓｓ  ｐｒｏｃｅｄｕｒｅ”，３ＧＰＰ  ＴＳＧ−ＲＡＮ  ＷＧ１  ＃８６ｂｉｓ，Ｌｉｓｂｏｎ，Ｐｏｒｔｕｇａｌ，Ｓｅｐｔｅｍｂｅｒ  １０−１４，２０１６］に記載されているように定義される。換言すれば、いくつかのＳＳ送信、例えばＳＳビームまたは時間インスタンスを、同じＰＲＡＣＨリソースにマッピングすることができる。図３は、同期信号（ＳＳ）、ＭＩＢ、およびＰＲＡＣＨリソースと、ＳＳおよびＰＲＡＣＨの間の動的タイミングとの関係を示している。ＰＲＡＣＨリソースのこの柔軟なタイミング指示は、固定のタイミングを使用するのと比べてリソースのオーバーヘッドが少ない。ＳＳからＰＲＡＣＨリソースへのタイミングは、ＭＩＢで示すことができる。あるいは、このタイミングは、別のシステム情報フォーマットを承認すべきである場合、ＳＳ自体または別の関連分野において想到できる。そのため、ＳＳ内で検出されたシーケンスがＰＲＡＣＨリソースとなるように、異なるＳＳを異なるタイミングに使用することができる。このＰＲＡＣＨ構成は、ＳＳおよびＰＢＣＨに対するタイミングとして指定されてもよく、ＭＩＢにおけるペイロードと別のブロードキャストされたシステム情報との組み合わせとすることができる。
【００１３】
追加情報をいつ聴取するか、ならびに／またはアップリンク信号をいつ送出するかをＵＥに対して指示するタイム指示は、２０１５年１０月２８日に出願された、Ｄｅｎｎｉｓ  Ｈｕｉ，Ｋｕｍａｒ  Ｂａｌａｃｈａｎｄｒａｎ，Ｊｏｈａｎ  Ａｘｎａｓ，Ｈｅｎｒｉｋ  Ｓａｈｌｉｎ，Ｊｏｈａｎ  Ｒｕｎｅ，Ｉｃａｒｏ  Ｌｅｏｎａｒｄｏ  Ｄａ  Ｓｉｌｖａ，Ａｎｄｒｅｓ  Ｒｅｉａｌによる、ＰＣＴ／ＳＥ２０１５／０５１１８３、「ビームスキャン時間インジケータ（Ｂｅａｍ−ｓｃａｎ  ｔｉｍｅ  ｉｎｄｉｃａｔｏｒ）」にも記載されている。
【００１４】
時間インジケータの値はまた、ＵＥからのアップリンク応答（例えば、ＰＲＡＣＨプリアンブルまたはシステムアクセス要求）に埋め込まれてもよい。これは、どのダウンリンクビームを最良のビームとしてＵＥが測定したかをネットワークが判断する助けとするのに有用なことがある。最良のダウンリンク（ＤＬ）ビームに基づいたＰＲＡＣＨシーケンスの選択に関する関連文献としては、２０１４年８月２９日に出願された、Ｍａｔｔｉａｓ  Ｆｒｅｎｎｅ，Ｈａｋａｎ  Ａｎｄｅｒｓｓｏｎ  Ｙ，Ｊｏｈａｎ  Ｆｕｒｕｓｋｏｇ，Ｓｔｅｆａｎ  Ｐａｒｋｖａｌｌ，Ｈｅｎｒｉｋ  Ｓａｈｌｉｎ，Ｑｉａｎｇ  Ｚｈａｎｇによる、ＷＯ２０１５／１４７７１７、「ビームに基づく物理ランダムアクセスのシステムおよび方法（Ｓｙｓｔｅｍ  ａｎｄ  ｍｅｔｈｏｄ  ｆｏｒ  ｂｅａｍ−ｂａｓｅｄ  ｐｈｙｓｉｃａｌ  ｒａｎｄｏｍ−ａｃｃｅｓｓ）」が挙げられる。
【００１５】
上述したシステムは、特に、ＯＦＤＭシンボルの長さを低減すると利用可能なプリアンブルシーケンスの数が低減される、図２に関連するシステムに関して、依然として改善を必要としている。
【発明の概要】
【００１６】
本発明の第１の態様によれば、ネットワークノードにおいてアクセス手順を実施する方法が提供される。方法は、複数の物理ランダムアクセスチャネル（ＰＲＡＣＨ）リソースの割当ての指示を無線デバイスに対して送出することであって、複数のＰＲＡＣＨリソースが、時間リソース、周波数リソース、およびシーケンスの第１の組み合わせおよび第２の組み合わせのうち１つを含み、第１の組み合わせが、複数の時間リソース、１つまたは複数の周波数リソース、および第１の複数のシーケンスを含み、第２の組み合わせが、１つまたは複数の時間リソース、複数の周波数リソース、および第２の複数のシーケンスを含む、ことと、複数の時間リソースおよび１つまたは複数の時間リソースの一方から選択された時間リソースの間に、また１つまたは複数の周波数リソースおよび複数の周波数の一方から選択された周波数リソースにおいて、ＰＲＡＣＨプリアンブルを無線デバイスから受信することであって、ＰＲＡＣＨプリアンブルが、第１の複数のシーケンスおよび第２の複数のシーケンスの一方から選択されたシーケンスを含む、こととを含む。
【００１７】
第２の態様によれば、第１の態様による方法を実施するネットワークノードが提供される。ネットワークノードは、処理回路構成と処理回路構成に接続されたメモリとを備え、メモリは、実行されると、処理回路構成に第１の態様による方法を実施させる、命令を含む。
【００１８】
第３の態様によれば、無線デバイスにおいてアクセス手順を実施する方法が提供される。方法は、ネットワークノードから指示を受信することであって、指示が、物理ランダムアクセスチャネル（ＰＲＡＣＨ）プリアンブル送信に対する複数のＰＲＡＣＨリソースの割当てを含み、複数のＰＲＡＣＨリソースが、時間リソース、周波数リソース、およびシーケンスの第１の組み合わせおよび第２の組み合わせのうち１つを含み、第１の組み合わせが、複数の時間リソース、１つまたは複数の周波数リソース、および第１の複数のシーケンスを含み、第２の組み合わせが、１つまたは複数の時間リソース、複数の周波数リソース、および第２の複数のシーケンスを含む、ことと、複数のＰＲＡＣＨリソースの中からＰＲＡＣＨリソースを選択することであって、選択されたＰＲＡＣＨリソースが、複数の時間リソースおよび１つまたは複数の時間リソースの一方から選択された時間リソース、１つまたは複数の周波数リソースおよび複数の周波数リソースの一方から選択された周波数リソース、ならびに第１の複数のシーケンスおよび第２の複数のシーケンスの一方から選択されたシーケンスと関連付けられる、ことと、選択された時間リソースの間に、選択された周波数リソースに対する選択されたシーケンスを含むＰＲＡＣＨプリアンブルを、ネットワークノードに送信することとを含む。
【００１９】
第４の態様によれば、第３の態様による方法を実施する無線デバイスが提供される。無線デバイスは、処理回路構成と処理回路構成に接続されたメモリとを備え、メモリは、実行されると、処理回路構成に第３の態様による方法を実施させる、命令を含む。
【００２０】
本発明の他の態様および特徴は、本発明の特定の実施形態に関する以下の説明を添付図面と併せ読むことによって、当業者には明白となるであろう。
【００２１】
以下、本発明の実施形態について、単なる例として、添付図面を参照して記載する。
【図面の簡単な説明】
【００２２】
【図１】通信ネットワークにおける初期アクセス手順を示す概略図である。
【図２】プリアンブルがＯＦＤＭシンボルを繰り返すことによって構築される、ＰＲＡＣＨプリアンブルフォーマットを示す図である。
【図３】同期信号（ＳＳ）、ＭＩＢ、およびＰＲＡＣＨリソースと、ＳＳおよびＰＲＡＣＨの間の動的タイミングとの関係を示す図である。
【図４】通信ネットワークを示す概略図である。
【図５】同期信号（ＳＳ）、ＭＩＢ、およびＰＲＡＣＨリソースと、ＰＢＣＨにおける複数のタイミングおよび周波数のＰＲＡＣＨリソースとの関係を示す図である。
【図６】２つのｇＮＢにおける、同期信号（ＳＳ）、ＭＩＢ、およびＰＲＡＣＨリソースの間の関係を示す図である。
【図７】一実施形態による、第２の無線ノードにおける方法のフローチャートである。
【図８】一実施形態による、第１の無線ノードにおける方法のフローチャートである。
【図９】一実施形態による、無線デバイス（または第２の無線ノード）を示す概略図である。
【図１０】一実施形態による、ネットワークノード（または第１の無線ノード）を示す概略図である。
【図１１】別の実施形態による、第２の無線ノードを示す概略図である。
【図１２】別の実施形態による、第１の無線ノードを示す概略図である。
【図１３】無線デバイスにおける方法のフローチャートである。
【図１４】ネットワークノードにおける方法のフローチャートである。
【発明を実施するための形態】
【００２３】
以下、添付図面にしたがって番号を付された、特定の要素について参照する。以下の考察は、本質的に例示として理解されるべきであり、本発明の範囲を限定するものとして理解されるべきではない。本発明の範囲は特許請求の範囲において定義されるものであり、当業者が認識するように、要素を等価の機能的要素と置き換えることによって修正することができるような、以下に記載する実現の詳細によって限定されるものと見なされるべきではない。
【００２４】
一連の動作または機能に関して、多くの態様について記載する。いくつかの実施形態では、いくつかの機能または動作は、専用回路によって、１つもしくは複数のプロセッサによって実行されるプログラム命令によって、または両方の組み合わせによって実施できることが、認識されるべきである。
【００２５】
更に、いくつかの実施形態は、本明細書に記載する技術をプロセッサに実行させる適切なコンピュータ命令セットを収容した、コンピュータ可読キャリアまたは搬送波の形態で、部分的にまたは完全に具体化することができる。
【００２６】
いくつかの代替実施形態では、機能／動作は、動作のシーケンスに記されている以外の順序で起こってもよい。更に、いくつかの図面において、いくつかのブロック、機能、または動作は任意選択のことがあり、実行されることもされないこともあるが、かかるブロック、機能、または動作は一般に破線で示される。
【００２７】
概して、本明細書で使用される全ての用語は、本明細書において別の形で明示的に定義されない限り、技術分野におけるそれらの本来の意味にしたがって解釈されるべきである。「要素、装置、構成要素、手段、ステップなど」に対する全ての参照は、別の形で明示的に定義されない限り、要素、装置、構成要素、手段、ステップなどの少なくとも一例を指すものと広く解釈されるべきである。本明細書に開示するいずれかの方法のステップは、明示的に言及されない限り、開示される正確な順序で必ずしも実施されなくてもよい。
【００２８】
上述したようなショートシンボルプリアンブル技術（例えば、図２）を使用すると、一意に定義されたＰＲＡＣＨプリアンブルシーケンスの数は、異なるＵＥから送信されるプリアンブル間の衝突を回避するには少なすぎることがある。アドレス可能空間は、複数のＰＲＡＣＨタイミングを予約することによって拡張されてもよく、それにより、ＰＲＡＣＨプリアンブルはシーケンスとタイミングの組み合わせによって定義される。しかしながら、これは、リソース使用の点で高価であり、許容できないＰＲＡＣＨレイテンシが発生する。
【００２９】
したがって、上述の悪影響を伴わずにより多数の一意のプリアンブルを定義することが可能になる、ＰＲＡＣＨプリアンブル定義の枠組みが必要とされている。本開示の特定の態様およびそれらの実施形態は、これらまたは他の課題に対する解決策を提供することができる。
【００３０】
概して、本開示の実施形態は、時間、周波数、および符号領域においていくつかのリソースの割当てを可能にする。リソースの割当ては、ｇＮＢによってＵＥに伝えられる。一実施形態では、ＵＥはこれらのリソースのうちいくつかの中から選択することができる。
【００３１】
実施形態について記載する前に、実施形態を実現することができる例示の通信ネットワークについて記載する。
【００３２】
図４は、無線通信に使用することができる、無線ネットワークまたは通信ネットワーク４００の一例を示している。無線ネットワーク４００は、無線デバイス４１０（例えば、ユーザ機器（ＵＥ））と、相互接続ネットワーク４３０を介して１つまたは複数のコアネットワークノード４４０に接続された、複数の無線アクセスノードまたはネットワークノード４２０（例えば、ｅＮＢ、ｇＮＢなど）とを含む。ネットワーク４００は、非集中型、共同サイト型（ｃｏ−ｓｉｔｅｄ）、集中型、または共有配備シナリオなど、任意の適切な配備シナリオを使用してもよい。カバレッジエリア内の無線デバイス４１０はそれぞれ、無線インターフェースを通じて無線アクセスノード４２０と直接通信することができてもよい。特定の実施形態では、無線デバイス４１０はまた、デバイスツーデバイス（Ｄ２Ｄ）通信を介して、互いと通信することができてもよい。特定の実施形態では、無線アクセスノード４２０はまた、例えば、インターフェース（例えば、ＬＴＥのＸ２、または他の適切なインターフェース）を介して、互いと通信することができてもよい。
【００３３】
一例として、無線デバイス４１０は、無線インターフェースを通じて無線アクセスノード４２０と通信してもよい。つまり、無線デバイス４１０は、無線アクセスノード４２０に無線信号を送信、および／または無線アクセスノード４２０から無線信号を受信してもよい。無線信号は、音声トラフィック、データトラフィック、制御信号、および／または他の任意の適切な情報を含んでもよい。いくつかの実施形態では、無線アクセスノード４２０と関連付けられた無線信号カバレッジの範囲は、セルと呼ばれることがある。
【００３４】
いくつかの実施形態では、無線デバイス４１０は、非限定的用語により、ユーザ機器（ＵＥ）と交換可能に呼ばれることがある。無線デバイス４１０は、無線信号を通じてネットワークノードまたは別のＵＥと通信することができる、任意のタイプの無線デバイスであることができる。ＵＥはまた、無線通信デバイス、標的デバイス、デバイスツーデバイス（Ｄ２Ｄ）ＵＥ、マシンタイプＵＥもしくはマシンツーマシン通信（Ｍ２Ｍ）が可能なＵＥ、ＵＥを装備したセンサ、ｉＰＡＤ、タブレット、移動端末、スマートフォン、ラップトップ組込機器（ＬＥＥ）、ラップトップ搭載機器（ＬＭＥ）、ＵＳＢドングル、加入者宅内機器（ＣＰＥ）などであってもよい。無線デバイス４１０の例示の実施形態については、図９を参照して以下に更に詳細に記載している。
【００３５】
いくつかの実施形態では、一般的用語「ネットワークノード」が使用される。「ネットワークノード」は、無線デバイスと、ならびに／あるいは無線デバイスへの無線アクセスを可能にする、および／または無線アクセスを提供する無線通信ネットワーク内の他の機器と、直接もしくは間接的に通信することができる、通信するように構成された、通信するように配置された、ならびに／あるいは通信するように動作可能である、機器を指す。そのため、無線アクセスノード４２０（基地局、無線基地局、ベーストランシーバ基地局、基地局コントローラ、ネットワークコントローラ、ｇＮＢ、ＮＲ  ＢＳ、エボルブドノードＢ（ｅＮＢ）、ノードＢ、マルチセル／マルチキャスト協調エンティティ（ＭＣＥ）、中継ノード、アクセスポイント、無線アクセスポイント、リモート無線ユニット（ＲＲＵ）、リモート無線ヘッド（ＲＲＨ）、マルチスタンダードＢＳ（ＭＳＲ  ＢＳなどとしても知られている）、コアネットワークノード（例えば、ＭＭＥ、ＳＯＮノード、協調ノード、測位ノード、ＭＤＴノードなど）、あるいは更には外部ノード（例えば、第三者ノード、現在のネットワーク外のノード）などの無線ネットワークノードを含んでもよい、任意の種類のネットワークノードであることができる。ネットワークノードはまた、テスト機器を含んでもよい。
【００３６】
本明細書で使用される「無線ネットワークノード」という用語は、無線ネットワークに含まれる任意の種類のネットワークノードであることができ、基地局（ＢＳ）、無線基地局、ベーストランシーバ基地局（ＢＴＳ）、基地局コントローラ（ＢＳＣ）、無線ネットワークコントローラ（ＲＮＣ）、エボルブドノードＢ（ｅＮＢまたはｅＮｏｄｅＢ）、ノードＢ、ＭＳＲ  ＢＳなどのマルチスタンダード無線（ＭＳＲ）無線ノード、中継ノード、ドナーノード制御リレー、無線アクセスポイント（ＡＰ）、送信ポイント、送信ノード、リモート無線ユニット（ＲＲＵ）、リモート無線ヘッド（ＲＲＨ）、分散アンテナシステム（ＤＡＳ）のノードなどを更に含んでもよい。
【００３７】
無線アクセス技術（ＲＡＴ）という用語は、任意のＲＡＴ、例えば、ＵＴＲＡ、Ｅ−ＵＴＲＡ、狭帯域モノのインターネット（ＮＢ−ＩｏＴ）、ＷｉＦｉ、Ｂｌｕｅｔｏｏｔｈ、次世代ＲＡＴ（ＮＲ）、４Ｇ、５Ｇなどを指してもよい。第１および第２のノードのいずれかが、単一または複数のＲＡＴに対応することができてもよい。
【００３８】
「無線ノード」という用語は、ＵＥ（例えば、無線デバイス４１０）または無線ネットワークノード（例えば、無線アクセスノード４２０）を表すのに使用されてもよい。無線ノードはまた、場合によっては、交換可能に送信ポイント（ＴＰ）または送受信ポイント（ＴＲＰ）と呼ばれることがある。
【００３９】
実施形態は、ＵＥのシングルキャリアならびにマルチキャリア、またはＵＥが１つを超えるサービングセルとの間でデータを送受信することができる、キャリアアグリゲーション（ＣＡ）動作に適用可能である。キャリアアグリゲーション（ＣＡ）という用語は、「マルチキャリアシステム」、「マルチセル動作」、「マルチキャリア動作」、「マルチキャリア」送信および／または受信とも呼ばれる（例えば、交換可能に呼ばれる）。ＣＡでは、コンポーネントキャリア（ＣＣ）の１つが、プライマリコンポーネントキャリア（ＰＣＣ）、または単にプライマリキャリア、または更にはアンカーキャリアである。残りのものは、セカンダリコンポーネントキャリア（ＳＣＣ）、または単にセカンダリキャリア、または更には補助キャリアである。サービングセルは、プライマリセル（ＰＣｅｌｌ）またはプライマリサービングセル（ＰＳＣ）と交換可能に呼ばれる。同様に、セカンダリサービングセルは、セカンダリセル（ＳＣｅｌｌ）またはセカンダリサービングセル（ＳＳＣ）と交換可能に呼ばれる。
【００４０】
本明細書で使用される「信号伝送」という用語は、高層の信号伝送（例えば、ＲＲＣなどを介する）、低層の信号伝送（例えば、物理制御チャネルもしくはブロードキャストチャネル）、または高層および低層の組み合わせのいずれかを含んでもよい。信号伝送は暗示的または明示的であってもよい。信号伝送は更に、ユニキャスト、マルチキャスト、またはブロードキャストであってもよい。信号伝送はまた、別のノードに直接、または第３のノードを介してであってもよい。
【００４１】
「無線信号」という用語も、無線チャネルという用語と交換可能に使用されてもよく、物理または論理チャネルを含んでもよい。例示の信号／チャネルは、参照信号、同期信号、ブロードキャストチャネル、ページングチャネル、制御チャネル、データチャネル、共有チャネルなどである。
【００４２】
本明細書で使用される「時間リソース」という用語は、時間長に関して表現される、任意のタイプの物理リソースまたは無線リソースに対応してもよい。時間リソースの例は、シンボル、時間スロット、サブフレーム、無線フレーム、ＴＴＩ、インターリービング時間などである。
【００４３】
特定の実施形態では、無線アクセスノード４２０は無線ネットワークコントローラとインターフェース接続してもよい。無線ネットワークコントローラは、無線アクセスノード４２０を制御してもよく、特定の無線リソース管理機能、モビリティ管理機能、および／または他の適切な機能を提供してもよい。特定の実施形態では、無線ネットワークコントローラの機能は無線アクセスノード４２０に含まれてもよい。無線ネットワークコントローラは、コアネットワークノード４４０とインターフェース接続してもよい。特定の実施形態では、無線ネットワークコントローラは、相互接続ネットワーク４３０を介してコアネットワークノード４４０とインターフェース接続してもよい。
【００４４】
相互接続ネットワーク４３０は、音声、映像、信号、データ、メッセージ、またはそれらの任意の組み合わせを送信することができる、任意の相互接続システムを指してもよい。相互接続ネットワーク４３０は、公衆交換電話網（ＰＳＴＮ）、公衆もしくは私設データ網、ローカルエリアネットワーク（ＬＡＮ）、メトロポリタンエリアネットワーク（ＭＡＮ）、広域ネットワーク（ＷＡＮ）、インターネットなどの、ローカル、地域、もしくはグローバル通信またはコンピュータネットワーク、有線もしくは無線ネットワーク、企業イントラネット、あるいは前述のものの組み合わせを含む他の任意の適切な通信リンクの、全てまたは一部分を含んでもよい。
【００４５】
いくつかの実施形態では、コアネットワークノード４４０は、無線デバイス４１０の通信セッションの確立および他の様々な機能性を管理してもよい。コアネットワークノード４４０の例としては、ＭＳＣ、ＭＭＥ、ＳＧＷ、ＰＧＷ、Ｏ＆Ｍ、ＯＳＳ、ＳＯＮ、測位ノード（例えば、Ｅ−ＳＭＬＣ）、ＭＤＴノードなどを挙げることができる。無線デバイス４１０は、非アクセスストラタムレイヤ（ｎｏｎ−ａｃｃｅｓｓ  ｓｔｒａｔｕｍ  ｌａｙｅｒ）を使用して、コアネットワークノードと特定の信号を交換してもよい。非アクセスストラタム信号伝送では、無線デバイス４１０とコアネットワークノード４４０との間の信号は、無線アクセスネットワークを透過伝送されてもよい。特定の実施形態では、無線アクセスノード４２０は、インターノードインターフェースを通じて、１つまたは複数のネットワークノードとインターフェース接続してもよい。例えば、無線アクセスノード４２０は、Ｘ２インターフェースを通じて互いとインターフェース接続してもよい。
【００４６】
図４は、ネットワーク４００の特定の配置を示しているが、本開示は、本明細書に記載する様々な実施形態が、任意の適切な構成を有する様々なネットワークに適用されてもよいものと考える。例えば、ネットワーク４００は、任意の適切な数の無線デバイス４１０および無線アクセスノード４２０を、ならびに無線デバイス間または無線デバイスと別の通信デバイス（有線電話など）との通信に対応する、任意の追加の要素を含んでもよい。実施形態は、任意の適切な通信規格に対応し、任意の適切なコンポーネントを使用する、任意の好適なタイプの電気通信システムの形で実現されてもよく、無線デバイスが信号（例えば、データ）を受信および／または送信する、任意の無線アクセス技術（ＲＡＴ）またはマルチＲＡＴシステムに適用可能である。特定の実施形態は、ＮＲおよび／またはＬＴＥに関して記載しているが、実施形態は、ＵＴＲＡ、Ｅ−ＵＴＲＡ、狭帯域モノのインターネット（ＮＢ−ＩｏＴ）、ＷｉＦｉ、Ｂｌｕｅｔｏｏｔｈ、次世代ＲＡＴ（ＮＲ、ＮＸ）、４Ｇ、５Ｇ、ＬＴＥ  ＦＤＤ／ＴＤＤ、ＷＣＤＭＡ／ＨＳＰＡ、ＧＳＭ／ＧＥＲＡＮ、ＷＬＡＮ、ＣＤＭＡ２０００など、任意のＲＡＴに適用可能である。
【００４７】
上述したように、ＵＥ  ４１０がネットワーク４００に接続またはアクセスするために、ＰＲＡＣＨプリアンブルを使用してランダムアクセス手順を実施する必要がある。ショートシンボルプリアンブル設計に関して、またプリアンブルを送出する異なるＵＥ間の衝突を回避するために、一意のプリアンブルのより大きいセットを定義するのを可能にする、ＰＲＡＣＨプリアンブルを設計する必要がある。そのため、ネットワークノードはＰＲＡＣＨリソースを割り当て、各リソースは、例えば、時間、周波数、および符号領域（またはシーケンス）の組み合わせを含む。
【００４８】
「符号領域」、「符号のリソース」、および「シーケンス」という用語は、同じものを示しているので、これらの用語は交換可能に使用できることに留意すべきである。
【００４９】
一実施形態による、ＰＢＣＨに構成されたＰＲＡＣＨリソースを、図５に例示している。図５は、いくつかのタイミングおよび周波数ＰＲＡＣＨリソースを各ＰＢＣＨに有する、同期信号（ＳＳ）、ＭＩＢ、およびＰＲＡＣＨリソースの関係を示している。また、いくつかのＳＳおよびＰＢＣＨ送信が図５に示されている。好ましくは、これらは異なるビームでｇＮＢから送信される。各ＰＢＣＨはＭＩＢを含み、これらのＭＩＢは、ＭＩＢ１、ＭＩＢ２、などの番号を付されている。
【００５０】
図５の例では、ＭＩＢ１は、異なる周波数間隔であるが同時の、２つのＰＲＡＣＨリソースを構成する。ＵＥが選択することができるシーケンスのセットは、これら２つの周波数間隔の間で同じであるかまたは異なってもよい。第２のＰＢＣＨは、ＭＩＢ１と同じ時間および周波数リソースであるが、シーケンスのセットが異なってもよい、ＭＩＢ２を含む。第３のＰＢＣＨは、２つのＰＲＡＣＨリソースを構成するＭＩＢ３を含む。ＭＩＢ３に構成される第１のＰＲＡＣＨリソースは、ＭＩＢ２と同じ時間および周波数リソースを再使用しているが、異なるシーケンスまたは同じシーケンスのどちらかを有する。ＭＩＢ３に構成される第２のＰＲＡＣＨリソースは、第１のＰＲＡＣＨリソースとは別の時間間隔で構成される。第４のＰＢＣＨは、１つの時間および周波数リソースのみを有するＭＩＢ４を含む。
【００５１】
時間および周波数リソースは、図５の右上の四角（斜線なし）によって表されるセルのＰＲＡＣＨには割り当てられないことに留意すべきである。このセルのリソースは、データ送信に、または他のセルのＰＲＡＣＨに使用することができる（例えば、図６）。
【００５２】
次のパラメータの組み合わせによって識別される、ＰＲＡＣＨプリアンブルインデックスが提案される。
シーケンス：
例えば、７１のサブキャリアを有するザドフ−チュウシーケンスの１〜７０のルートシーケンス、ならびに、
例えば、ルートシーケンスのサイクリックシフト。このサイクリックシフトは、ｇＮＢがアクティブであるセルの最大ＲＴＴ（ラウンドトリップ時間）よりも大きくなければならない。
周波数リソース：ＰＲＡＣＨ信号のサブバンド位置を説明するサブバンドインデックス
例えば、０〜７。
サブフレーム：ＰＲＡＣＨプリアンブルの今後のサブフレームを示すタイミングオフセット
例えば、２つの異なる可能なサブフレームを有する。
【００５３】
上述の例では、ＰＲＡＣＨプリアンブルの合計数＝７１×８×２＝１１３２である。これは、ＬＴＥにおける８３８のＰＲＡＣＨルートシーケンスよりも著しく多い。
【００５４】
一実施形態による、２つのｇＮＢのＰＲＡＣＨ構成を、図６に例示している。図６は、２つのｇＮＢ、例えばｇＮＢ１およびｇＮＢ２における、同期信号（ＳＳ）、ＭＩＢ、ＰＲＡＣＨリソースの関係を示している。２つのｇＮＢは、重なり合わない時間／周波数リソースを使用している。換言すれば、２つのｇＮＢは、図６で分かるように、ＰＲＡＣＨに対して同じ時間および周波数リソースを構成しない。ＰＲＡＣＨに使用されないリソースは、所与のｇＮＢに対する他のアップリンク送信（ＰＵＳＣＨ）に使用されてもよい。換言すれば、各ｇＮＢにおいて、そのｇＮＢに使用されるリソースのみを、他のアップリンク（ＵＬ）送信から除外する必要がある。２つのｇＮＢが近い場合、一方のｇＮＢに近い一方のＵＥからのＰＵＳＣＨ送信は、他方のｇＮＢにおけるＰＲＡＣＨプリアンブルの受信に干渉をもたらすことになる。しかしながら、ＰＵＳＣＨはＰＲＡＣＨプリアンブルとの相関が少ないので、ＰＲＡＣＨ検出が発生する可能性は最も低くなる。
【００５５】
ＳＳおよびＰＢＣＨは、集合的にＳＳブロックと呼ばれることがあることに留意すべきである。ＳＳは同期シーケンスであり、ＰＢＣＨはシステム情報を含む。そのため、ＰＢＣＨは、どのＰＲＡＣＨリソースをＵＥによる使用に利用可能であるかをＵＥが知ることを可能にする情報を含む。
【００５６】
いくつかの実施形態では、ＰＲＡＣＨリソースの構成はＰＢＣＨのＭＩＢ内に構成される。あるいは、ＰＲＡＣＨリソースは、残存最小システム情報（Ｒｅｍａｉｎｉｎｇ  Ｍｉｎｉｍｕｍ  Ｓｙｓｔｅｍ  Ｉｎｆｏｒｍａｔｉｏｎ）（ＲＭＳＩ）内に構成することができる。そのため、シーケンス、周波数リソース、および時間リソースは、別個のインジケータとして指定することができる。７０のルートシーケンスが利用可能である、一例を以下に示す。
プリアンブルルートサブセット：３ビット：｛０，…６９｝，｛０，…３４｝，｛３５，…６９｝，｛０，…１６｝，｛１７，…３３｝，｛３５，…５１｝，｛５２，…６９｝，
サイクリックシフト：２ビット：｛０｝，｛ｈａｌｆ  ｓｙｍｂｏｌ｝，｛ｑｕａｒｔｅｒ  ｏｆ  ｓｙｍｂｏｌ｝，｛ｔｈｒｅｅ  ｑｕａｒｔｅｒ  ｏｆ  ｓｙｍｂｏｌ｝
周波数リソース：４ビット：｛０｝，｛１｝，…，｛７｝，｛０，１｝，｛２，３｝，…，｛６，７｝，｛０，１，２｝
タイミングオフセット：３ビット：｛０｝，｛１｝，｛０，１｝
【００５７】
タイミングオフセットまたは時間オフセットは、受信ＳＳブロックとＰＲＡＣＨ送信との間の遅延を指すことができることに留意すべきである。
【００５８】
他の実施形態では、ＰＲＡＣＨプリアンブルコンフィギュレーションインデックスはＭＩＢにおいて与えられ、各インデックスについて、シーケンス、周波数リソース、および時間リソースの１つの構成を収容したテーブルにマッピングされる。表１における下記の例を参照のこと。
2019537891.tif 000003
【００５９】
この表において、一部の構成はいくつかの時間および周波数リソースを示しており、各リソースのベースシーケンスは、１つの時間および周波数リソースの割当てと比べて少ない。例えば、いくつかの時間リソースは、ＵＥがＰＲＡＣＨプリアンブルを送信する前にＬＢＴ（リッスンビフォートーク）を行うときに、無免許のスペクトルにおいて有益である。ＬＢＴが１つの時間割当てで失敗した場合、ＵＥは別の時間割当てを試みることができる。
【００６０】
更に別の実施形態では、許可された時間／周波数／シーケンスの組み合わせのセットが、ＭＩＢにおいて明示的にリスト化されてもよい。
【００６１】
いくつかの周波数リソースは、チャネルまたは干渉が周波数にわたって変動するシナリオにおいて有益なことがある。ＵＥは、ＰＲＡＣＨがより高い成功率を有する周波数リソースを決定することができるように、周波数選択性リンクバジェットを測定することがある。いくつかの周波数リソースはまた、異なる周波数間隔を異なるＰＲＡＣＨプリアンブル試行で試すことができる、静置された固定の無線デバイスに関して有益なことがある。
【００６２】
ＰＲＡＣＨリソースの構成は、複数の周波数リソースと、１つまたは複数の時間リソースと、複数のシーケンスとを含んでもよいことに留意すべきである。ＰＲＡＣＨリソースはまた、１つまたは複数の周波数リソースと、複数の時間リソースと、複数のシーケンスとを含んでもよい。
【００６３】
次に、図７を参照して、無線デバイスにおける方法の実施形態について記載する。図７は、無線デバイスによって通信ネットワークにおいてアクセス手順を実施する方法７００を示している。通信ネットワークは、例えば、ネットワーク４００である。無線デバイスは、ＵＥまたは無線デバイス４１０であることができる。
【００６４】
方法７００は、メッセージをネットワークノードから受信することであって、メッセージが、ＰＲＡＣＨプリアンブル送信に対する複数のＰＲＡＣＨリソースの割当てを含み、各ＰＲＡＣＨリソースが、時間、周波数、およびシーケンスの組み合わせを含む、ことを含む（ブロック７１０）。
【００６５】
方法７００は、複数のＰＲＡＣＨリソースの中からＰＲＡＣＨリソースを選択することを含む（ブロック７２０）。
【００６６】
方法７００は、選択されたＰＲＡＣＨリソースを使用して、ＰＲＡＣＨプリアンブルをネットワークノードに送信することを含む（ブロック７３０）。
【００６７】
いくつかの実施形態では、無線デバイス４１０は、複数のＰＲＡＣＨリソースの割当てが示される、ＭＩＢを含むメッセージを受信する。指示は、時間、周波数、およびシーケンスに対する別個のインジケータを使用して行うことができる。指示は、プリアンブルインデックスおよび対応する表１を使用して行うことができる。指示は、明示的に行うことができ、時間、周波数、およびシーケンスの複数の組み合わせがＭＩＢにおいて明示的にリスト化される。
【００６８】
次に、図８を参照して、ネットワークノードにおける方法８００の実施形態について記載する。図８は、ネットワークノードによって通信ネットワークにおいてアクセス手順を実施する方法８００を示している。通信ネットワークは、例えば、ネットワーク４００である。ネットワークノードは、例えば、ｇＮＢまたは基地局または無線アクセスノード４２０である。
【００６９】
方法８００は、ＰＲＡＣＨプリアンブル送信に対する複数のＰＲＡＣＨリソースの割当てを決定することであって、各ＰＲＡＣＨリソースが、時間、周波数、およびシーケンスの組み合わせを含む、ことを含む（ブロック８１０）。
【００７０】
方法８００は、複数のＰＲＡＣＨリソースの決定された割当てを無線デバイスに対して送出することを含む（ブロック８２０）。
【００７１】
方法８００は、ＰＲＡＣＨプリアンブルを無線デバイスから受信することであって、ＰＲＡＣＨプリアンブルが、複数のＰＲＡＣＨリソースから選択されたＰＲＡＣＨリソースにおいて送信される、ことを含む（ブロック８３０）。
【００７２】
いくつかの実施形態では、ブロック８１０で、ＰＲＡＣＨリソースの割当てを決定することは、例えば、時間、周波数、およびシーケンスの組み合わせを使用して、複数のＰＲＡＣＨリソースを構成することを含む。更に、ｇＮＢまたは無線アクセスノード４２０が、同じセルにおけるいくつかのＰＲＡＣＨリソースの割当てを指定することができる。
【００７３】
次に、図１３を参照して、無線デバイスによって通信ネットワークにおいてアクセス手順を実施する方法１３００について記載する。方法１３００は方法７００に対応し、後者の方がいくつかの用語がより良く定義されている。通信ネットワークは、例えば、ネットワーク４００である。無線デバイスは、ＵＥまたは無線デバイス４１０であることができる。
【００７４】
方法１３００は、指示をネットワークノードから受信することを含む（ブロック１３１０）。指示は、物理ランダムアクセスチャネル（ＰＲＡＣＨ）プリアンブル送信に対する複数のＰＲＡＣＨリソースの割当てを含み、複数のＰＲＡＣＨリソースは、時間リソース、周波数リソース、およびシーケンスの第１の組み合わせおよび第２の組み合わせのうち１つを含み、第１の組み合わせは、複数の時間リソース、１つまたは複数の周波数リソース、および第１の複数のシーケンスを含み、第２の組み合わせは、１つまたは複数の時間リソース、複数の周波数リソース、および第２の複数のシーケンスを含む。
【００７５】
方法１３００は、複数のＰＲＡＣＨリソースの中からＰＲＡＣＨリソースを選択することを含む（ブロック１３２０）。選択されたＰＲＡＣＨリソースは、複数の時間リソースおよび１つまたは複数の時間リソースの一方から選択された時間リソース、１つまたは複数の周波数リソースおよび複数の周波数リソースの一方から選択された周波数リソース、ならびに第１の複数のシーケンスおよび第２の複数のシーケンスの一方から選択されたシーケンスと関連付けられる。
【００７６】
方法１３００は、選択された時間リソースの間に、選択された周波数リソースに対する選択されたシーケンスを含むＰＲＡＣＨプリアンブルを、ネットワークノードに送信することを含む（ブロック１３３０）。
【００７７】
いくつかの実施形態では、ＰＲＡＣＨリソースを選択することは、複数のＰＲＡＣＨリソースの中からＰＲＡＣＨリソースを無作為に選択することを含む。
【００７８】
いくつかの実施形態では、ＰＲＡＣＨリソースを選択することは、特定の判定基準に基づいてＰＲＡＣＨリソースを選択することを含む。
【００７９】
例えば、第１の組み合わせからの複数の時間リソースは、時間間隔、または同期信号からの複数のタイミングオフセットを含むことができる。
【００８０】
例えば、第２の組み合わせからの１つまたは複数の時間リソースは、時間、または時間間隔、または同期信号からの１つもしくは複数のタイミングオフセットを含むことができる。
【００８１】
例えば、第１の組み合わせからの１つまたは複数の周波数リソースは、周波数、または周波数間隔、またはＰＲＡＣＨ信号の位置を示す１つもしくは複数の周波数サブバンドを含むことができる。
【００８２】
例えば、第２の組み合わせからの複数の周波数リソースは、周波数間隔、またはＰＲＡＣＨ信号の位置を示す複数の周波数サブバンドを含むことができる。
【００８３】
例えば、第１および第２の複数のシーケンスは、ルートシーケンスのセットおよびサイクリックシフトのセットの組み合わせを含むことができる。
【００８４】
いくつかの実施形態では、複数のＰＲＡＣＨリソースの割当ては、同期信号と関連付けられた物理ブロードキャストチャネル（ＰＢＣＨ）によって保持される。より具体的には、複数のＰＲＡＣＨリソースの割当ての指示は、物理ブロードキャストチャネル（ＰＢＣＨ）のマスタ情報ブロック（ＭＩＢ）によって与えられる。
【００８５】
いくつかの実施形態では、いくつかの同期信号およびＰＢＣＨ送信は、異なるビームでネットワークノードから送信される。
【００８６】
いくつかの実施形態では、ＭＩＢは、第１の組み合わせを示す場合、複数の時間リソースを示す第１のインジケータと、１つまたは複数の周波数リソースを示す第２のインジケータと、複数のシーケンスを含む第３のインジケータとを含むことができ、第１、第２、および第３のインジケータは別個のインジケータである。
【００８７】
いくつかの実施形態では、ＭＩＢは、第１の組み合わせを示す場合、時間リソース、周波数リソース、およびシーケンスの組み合わせを示す、ＰＲＡＣＨプリアンブルインデックスを含む。例えば、ＰＲＡＣＨプリアンブルインデックスは、複数の時間リソース、１つまたは複数の周波数リソース、および複数のシーケンスの１つの構成にそれぞれ対応するインデックスのリストを有する、テーブルにマッピングされる。
【００８８】
いくつかの実施形態では、ＭＩＢは、第１の組み合わせを示す場合、時間リソース、周波数リソース、およびシーケンスの許可された組み合わせのセットを明示的にリスト化することができる。
【００８９】
いくつかの実施形態では、ＭＩＢは、第２の組み合わせを示す場合、１つまたは複数の時間リソースを示す第１のインジケータと、複数の周波数リソースを示す第２のインジケータと、複数のシーケンスを示す第３のインジケータとを含むことができ、第１、第２、および第３のインジケータは別個のインジケータである。
【００９０】
いくつかの実施形態では、ＭＩＢは、第２の組み合わせを示す場合、時間リソース、周波数リソース、およびシーケンスの組み合わせを示す、ＰＲＡＣＨプリアンブルインデックスを含むことができる。例えば、ＰＲＡＣＨプリアンブルインデックスは、１つまたは複数の時間リソース、複数の周波数リソース、および複数のシーケンスの１つの構成にそれぞれ対応するインデックスのリストを有する、テーブルにマッピングされる。
【００９１】
いくつかの実施形態では、ＭＩＢは、第２の組み合わせを示す場合、時間リソース、周波数リソース、およびシーケンスの許可された組み合わせのセットを明示的にリスト化することができる。
【００９２】
いくつかの実施形態では、方法１３００は、選択されたシーケンスに基づいてＰＲＡＣＨプリアンブルを生成することを含むことができる。
【００９３】
図１４は、ネットワークノードによって通信ネットワークにおいてアクセス手順を実施する方法１４００を示している。方法１４００は方法８００に対応し、後者の方がいくつかの用語がより良く定義されており、いくつかのステップが再配置されている。通信ネットワークは、例えば、ネットワーク４００である。ネットワークノードは、例えば、ｇＮＢまたは基地局または無線アクセスノード４２０である。
【００９４】
方法１４００は、複数の物理ランダムアクセスチャネル（ＰＲＡＣＨ）リソースの割当ての指示を、無線デバイスに対して送出することを含む（ブロック１４１０）。例えば、複数のＰＲＡＣＨリソースは、複数のＰＲＡＣＨリソースが、時間リソース、周波数リソース、およびシーケンスの第１の組み合わせおよび第２の組み合わせのうち１つを含み、第１の組み合わせは、複数の時間リソース、１つまたは複数の周波数リソース、および第１の複数のシーケンスを含み、第２の組み合わせは、１つまたは複数の時間リソース、複数の周波数リソース、および第２の複数のシーケンスを含む。
【００９５】
方法１４００は、複数の時間リソースおよび１つまたは複数の時間リソースの一方から選択された時間リソースの間に、また１つまたは複数の周波数リソースおよび複数の周波数の一方から選択された周波数リソースにおいて、ＰＲＡＣＨプリアンブルを無線デバイスから受信することを含み、ＰＲＡＣＨプリアンブルは、第１の複数のシーケンスおよび第２の複数のシーケンスの一方から選択されたシーケンスを含む（ブロック１４２０）。
【００９６】
いくつかの実施形態では、方法１４００は、チャネルの質などの異なる因子およびパラメータに基づいて、複数のＰＲＡＣＨリソースの割当てを決定することを更に含む。
【００９７】
例えば、第１の組み合わせからの複数の時間リソースは、時間間隔、または同期信号からの複数のタイミングオフセットを含むことができる。
【００９８】
例えば、第２の組み合わせからの１つまたは複数の時間リソースは、時間、または時間間隔、または同期信号からの１つもしくは複数のタイミングオフセットを含むことができる。
【００９９】
例えば、第１の組み合わせからの１つまたは複数の周波数リソースは、周波数、または周波数間隔、またはＰＲＡＣＨ信号の位置を示す１つもしくは複数の周波数サブバンドを含むことができる。
【０１００】
例えば、第２の組み合わせからの複数の周波数リソースは、周波数間隔、またはＰＲＡＣＨ信号の位置を示す複数の周波数サブバンドを含むことができる。
【０１０１】
例えば、第１および第２の複数のシーケンスは、ルートシーケンスのセットおよびサイクリックシフトのセットの組み合わせを含むことができる。
【０１０２】
いくつかの実施形態では、複数のＰＲＡＣＨリソースの割当ては、同期信号と関連付けられた物理ブロードキャストチャネル（ＰＢＣＨ）によって保持される。より具体的には、複数のＰＲＡＣＨリソースの割当ての指示は、物理ブロードキャストチャネル（ＰＢＣＨ）のマスタ情報ブロック（ＭＩＢ）によって与えられる。
【０１０３】
いくつかの実施形態では、いくつかの同期信号およびＰＢＣＨ送信は、異なるビームでネットワークノードから送信される。
【０１０４】
いくつかの実施形態では、ＭＩＢは、第１の組み合わせを示す場合、複数の時間リソースを示す第１のインジケータと、１つまたは複数の周波数リソースを示す第２のインジケータと、複数のシーケンスを含む第３のインジケータとを含むことができ、第１、第２、および第３のインジケータは別個のインジケータである。
【０１０５】
いくつかの実施形態では、ＭＩＢは、第１の組み合わせを示す場合、時間リソース、周波数リソース、およびシーケンスの組み合わせを示す、ＰＲＡＣＨプリアンブルインデックスを含む。例えば、ＰＲＡＣＨプリアンブルインデックスは、複数の時間リソース、１つまたは複数の周波数リソース、および複数のシーケンスの１つの構成にそれぞれ対応するインデックスのリストを有する、テーブルにマッピングされる。
【０１０６】
いくつかの実施形態では、ＭＩＢは、第１の組み合わせを示す場合、時間リソース、周波数リソース、およびシーケンスの許可された組み合わせのセットを明示的にリスト化することができる。
【０１０７】
いくつかの実施形態では、ＭＩＢは、第２の組み合わせを示す場合、１つまたは複数の時間リソースを示す第１のインジケータと、複数の周波数リソースを示す第２のインジケータと、複数のシーケンスを示す第３のインジケータとを含むことができ、第１、第２、および第３のインジケータは別個のインジケータである。
【０１０８】
いくつかの実施形態では、ＭＩＢは、第２の組み合わせを示す場合、時間リソース、周波数リソース、およびシーケンスの組み合わせを示す、ＰＲＡＣＨプリアンブルインデックスを含むことができる。例えば、ＰＲＡＣＨプリアンブルインデックスは、１つまたは複数の時間リソース、複数の周波数リソース、および複数のシーケンスの１つの構成にそれぞれ対応するインデックスのリストを有する、テーブルにマッピングされる。
【０１０９】
いくつかの実施形態では、ＭＩＢは、第２の組み合わせを示す場合、時間リソース、周波数リソース、およびシーケンスの許可された組み合わせのセットを明示的にリスト化することができる。
【０１１０】
図９は、特定の実施形態による例示の無線デバイス４１０のブロック図である。無線デバイス４１０はユーザ機器であってもよい。無線デバイス４１０は、処理回路構成９１０と、アンテナ９２０と、無線フロントエンド回路構成９３０と、コンピュータ可読記憶媒体９４０とを含む。アンテナ９２０は、１つもしくは複数のアンテナまたはアンテナアレイを含んでもよく、無線信号を送出および／または受信するように構成され、無線フロントエンド回路構成９３０に接続される。特定の代替実施形態では、無線デバイス４１０はアンテナ９２０を含まなくてもよく、アンテナ９２０は代わりに、無線デバイス４１０とは別個であって、インターフェースまたはポートを通して無線デバイス４１０に接続可能であってもよい。
【０１１１】
無線フロントエンド回路構成９３０は、様々なフィルタおよび増幅器を備えてもよく、アンテナ９２０および処理回路構成９１０に接続され、アンテナ９２０と処理回路構成９１０との間で通信される信号を調整するように構成される。特定の代替実施形態では、無線デバイス４１０は無線フロントエンド回路構成９３０を含まなくてもよく、処理回路構成９１０は代わりに、無線フロントエンド回路構成９３０なしでアンテナ９２０に接続されてもよい。
【０１１２】
処理回路構成９１０は、命令を実行しデータを操作して、上述した無線デバイス４１０の機能など、無線デバイス４１０（または第２の無線ノード）の記載される機能の一部または全てを実施する、１つまたは複数のモジュールに実装されるハードウェアおよびソフトウェアの任意の適切な組み合わせを含んでもよい。処理回路構成８１０は、無線周波数（ＲＦ）送受信機回路構成、ベースバンド処理回路構成、およびアプリケーション処理回路構成のうち１つまたは複数を含んでもよい。送受信機回路構成は、（例えば、アンテナ９２０を介して）無線アクセスノード４２０に無線信号を送信し、無線アクセスノード４２０から無線信号を受信することを容易にする。送受信機回路構成は、入力インターフェース９６０および出力インターフェース９７０に接続されてもよい。いくつかの実施形態では、ＲＦ送受信機回路構成、ベースバンド処理回路構成、およびアプリケーション処理回路構成は、別個のチップセット上であってもよい。代替実施形態では、ベースバンド処理回路構成およびアプリケーション処理回路構成の一部または全てが組み合わされて１つのチップセットにされてもよく、ＲＦ送受信機回路構成は別個のチップセット上であってもよい。更なる代替実施形態では、ＲＦ送受信機回路構成およびベースバンド処理回路構成の一部または全てが同じチップセット上であってもよく、アプリケーション処理回路構成は別個のチップセット上であってもよい。更なる他の代替実施形態では、ＲＦ送受信機回路構成、ベースバンド処理回路構成、およびアプリケーション処理回路構成は、組み合わされて同じチップセットにされてもよい。処理回路構成８１０は、例えば、１つもしくは複数の中央処理装置（ＣＰＵ）、１つもしくは複数のプロセッサまたはマイクロプロセッサ、１つもしくは複数の特定用途向け集積回路（ＡＳＩＣ）、ならびに／あるいは１つもしくは複数のフィールドプログラマブルゲートアレイ（ＦＰＧＡ）を含んでもよい。特定の実施形態では、１つまたは複数のプロセッサは、図１１に関して後述するモジュールのうち１つまたは複数を備えてもよい。
【０１１３】
特定の実施形態では、無線デバイスによって提供されるものとして本明細書に記載する機能性の一部または全ては、コンピュータ可読記憶媒体／メモリ９４０に格納された命令を実行する、処理回路構成９１０によって提供されてもよい。例えば、処理回路構成９１０は、方法７００、１３００、および１４００、ならびにこれらの方法に関する全ての実施形態を実施するように構成される。
【０１１４】
代替実施形態では、機能性の一部または全ては、ハードワイヤード方式などで、コンピュータ可読媒体に格納された命令を実行することなく、処理回路構成９１０によって提供されてもよい。これら特定の実施形態のいずれかにおいて、コンピュータ可読記憶媒体に格納された命令を実行するか否かにかかわらず、処理回路構成は、記載される機能性を実施するように構成されると言うことができる。かかる機能性によって提供される利益は、処理回路構成９１０のみに、または無線デバイス４１０の他のコンポーネントに限定されず、無線デバイス全体ならびに／あるいはエンドユーザおよび無線ネットワーク全般によって享受される。
【０１１５】
アンテナ９２０、無線フロントエンド回路構成９３０、および／または処理回路構成９１０は、無線デバイスによって実施されるものとして、本明細書に記載するあらゆる受信動作を実施するように構成されてもよい。あらゆる情報、データ、および／または信号は、ネットワークノードおよび／または別の無線デバイスから受信されてもよい。
【０１１６】
処理回路構成９１０は、無線デバイスによって実施されるものとして、本明細書に記載するあらゆる判断動作を実施するように構成されてもよい。処理回路構成９１０によって実施される判断は、例えば、取得された情報を他の情報に変換することにより、処理回路構成９１０によって取得される情報を処理すること、取得された情報または変換された情報を無線デバイスに格納された情報と比較すること、ならびに／あるいは取得された情報または変換された情報に基づいて、また判断を行う前記処理の結果として、１つまたは複数の動作を実施することを含んでもよい。
【０１１７】
アンテナ９２０、無線フロントエンド回路構成９３０、および／または処理回路構成９１０は、無線デバイスによって実施されるものとして、本明細書に記載するあらゆる送信動作を実施するように構成されてもよい。あらゆる情報、データ、および／または信号は、ネットワークノードおよび／または別の無線デバイスに送信されてもよい。
【０１１８】
コンピュータ可読記憶媒体９４０は、一般に、１つもしくは複数の論理、規則、符号、テーブルなどを含む、コンピュータプログラム、ソフトウェア、アプリケーションなどの命令、ならびに／あるいはプロセッサによって実行することができる他の命令を格納するように動作可能である。コンピュータ可読記憶媒体８４０の例としては、コンピュータメモリ（例えば、ランダムアクセスメモリ（ＲＡＭ）もしくは読出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／あるいは、処理回路構成９１０によって使用されてもよい情報、データ、および／または命令を格納する、他の任意の揮発性もしくは不揮発性非一時的コンピュータ可読および／またはコンピュータ実行可能メモリデバイスが挙げられる。いくつかの実施形態では、処理回路構成９１０およびコンピュータ可読記憶媒体９４０は、統合されたものと見なされてもよい。
【０１１９】
無線デバイス４１０の代替実施形態としては、本明細書に記載する機能性のいずれか、および／または上述の解決策に対応するのに必要ないずれかの機能性を含む、無線デバイスの機能性の特定の態様を提供することに関与してもよい、図９に示されるものを超える追加のコンポーネントを挙げることができる。単なる一例として、無線デバイス４１０は、１つもしくは複数のプロセッサの一部であってもよい、入力インターフェース、デバイス、および回路と、出力インターフェース、デバイス、および回路と、１つもしくは複数の同期ユニットまたは回路とを含んでもよい。入力インターフェース、デバイス、および回路は、無線デバイス４１０への情報の入力を可能にするように構成され、処理回路構成９１０に接続されて、処理回路構成９１０が入力情報を処理するのを可能にする。例えば、入力インターフェース、デバイス、および回路は、マイクロフォン、近接センサまたは他のセンサ、キー／ボタン、タッチディスプレイ、１つもしくは複数のカメラ、ＵＳＢポート、あるいは他の入力素子を含んでもよい。出力インターフェース、デバイス、および回路は、無線デバイス４１０からの情報の出力を可能にするように構成され、処理回路構成９１０に接続されて、処理回路構成９１０が無線デバイス４１０から情報を出力するのを可能にする。例えば、出力インターフェース、デバイス、または回路は、スピーカー、ディスプレイ、振動回路構成、ＵＳＢポート、ヘッドフォンインターフェース、または他の出力素子を含んでもよい。１つまたは複数の入力および出力インターフェース、デバイス、ならびに回路を使用して、無線デバイス４１０は、エンドユーザおよび／または無線ネットワークと通信し、それらが本明細書に記載する機能性からの利益を得ることを可能にしてもよい。
【０１２０】
別の例として、無線デバイス４１０は電源９５０を備えてもよい。電源９５０は電力管理回路構成を含んでもよい。電源９５０は、電源９５０に含まれるかまたはその外部にあってもよい電力源から、電力を受信してもよい。例えば、無線デバイス４１０は、電源９５０に接続されるかまたは統合される、電池または電池パックの形態の電力源を備えてもよい。光起電デバイスなど、他のタイプの電源も使用されてもよい。更なる例として、無線デバイス４１０は、入力回路構成、または電気ケーブルなどのインターフェースを介して、外部電力源（電気コンセントなど）に接続可能であってもよく、外部電力源は電力を電源９５０に供給する。電源９５０は、無線フロントエンド回路構成９３０、処理回路構成９１０、および／またはコンピュータ可読記憶媒体９４０に接続されてもよく、処理回路構成９１０を含む無線デバイス４１０に、本明細書に記載する機能性を実施する電力を供給するように構成されてもよい。
【０１２１】
無線デバイス４１０はまた、例えば、ＧＳＭ、ＷＣＤＭＡ、ＬＴＥ、ＮＲ、ＷｉＦｉ、またはＢｌｕｅｔｏｏｔｈ無線技術など、無線デバイス４１０に統合された異なる無線技術に関して、処理回路構成９１０、コンピュータ可読記憶媒体９４０、無線回路構成９３０、および／またはアンテナ９２０の複数のセットを含んでもよい。これらの無線技術は、同じまたは異なるチップセット、および無線デバイス４１０内の他のコンポーネントに統合されてもよい。
【０１２２】
図１０は、特定の実施形態による、例えば、基地局またはｅＮＢまたはｇＮＢであることができる、例示の無線アクセスノードまたはネットワークノード４２０のブロック図である。無線アクセスノード４２０は、処理回路構成１０１０と、１つまたは複数の送受信機１０２０と、ネットワークインターフェース１０３０とを含む。回路構成１０１０は、１つまたは複数の（ノード）プロセッサ１０４０と、メモリ１０５０とを含んでもよい。いくつかの実施形態では、送受信機１０２０は、（例えば、アンテナを介して）無線信号を無線デバイス４１０に送信し、無線デバイス４１０から無線信号を受信するのを容易にし、１つまたは複数のプロセッサ１０４０は、無線アクセスノード４２０によって提供されるものとして上述した機能性の一部または全てを提供する命令を実行し、メモリ１０５０は、１つまたは複数のプロセッサ１０４０によって実行される命令を格納し、ネットワークインターフェース１０３０は、ゲートウェイ、スイッチ、ルータ、インターネット、公衆交換電話網（ＰＳＴＮ）、コアネットワークノード、または無線ネットワークコントローラなどのバックエンドネットワークコンポーネントに信号を通信する。
【０１２３】
１つまたは複数のプロセッサ１０４０は、命令を実行しデータを操作して、上述したものなど、無線アクセスノード４２０の記載される機能の一部または全てを実施する、１つまたは複数のモジュールに実装されるハードウェアおよびソフトウェアの任意の適切な組み合わせを含んでもよい。例えば、処理回路構成１０１０（またはプロセッサ１０４０）は、方法８００、１５００、および１６００、ならびにこれらの方法に関する全ての実施形態を実施するように構成される。
【０１２４】
いくつかの実施形態では、１つまたは複数のプロセッサ１０４０は、例えば、１つまたは複数のコンピュータ、１つまたは複数の中央処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）、ならびに／あるいは他の論理を含んでもよい。特定の実施形態では、１つまたは複数のプロセッサ１０４０は、図１２に関して後述するモジュールのうち１つまたは複数を備えてもよい。
【０１２５】
メモリ１０５０は、一般に、１つもしくは複数の論理、規則、アルゴリズム、符号、テーブルなどを含む、コンピュータプログラム、ソフトウェア、アプリケーションなどの命令、ならびに／あるいは１つまたは複数のプロセッサ９４０によって実行することができる他の命令を格納するように動作可能である。メモリ１０５０の例としては、コンピュータメモリ（例えば、ランダムアクセスメモリ（ＲＡＭ）もしくは読出し専用メモリ（ＲＯＭ））、大容量記憶媒体（例えば、ハードディスク）、リムーバブル記憶媒体（例えば、コンパクトディスク（ＣＤ）もしくはデジタルビデオディスク（ＤＶＤ））、ならびに／あるいは情報を格納する、他の任意の揮発性もしくは不揮発性非一時的コンピュータ可読および／またはコンピュータ実行可能メモリデバイスが挙げられる。
【０１２６】
いくつかの実施形態では、ネットワークインターフェース１０３０は、１つまたは複数のプロセッサ１０４０に通信可能に連結され、無線アクセスノード４２０に対する入力を受信し、無線アクセスノード４２０からの出力を送出し、入力もしくは出力もしくは両方の適切な処理を実施し、他のデバイスに通信し、または前記の任意の組み合わせを行うように動作可能な、任意の適切なデバイスを指してもよい。ネットワークインターフェース１０３０は、ネットワークを通して通信するのに、適切なハードウェア（例えば、ポート、モデム、ネットワークインターフェースカードなど）と、プロトコル変換およびデータ処理能力を含むソフトウェアとを含んでもよい。
【０１２７】
無線アクセスノード４２０の他の実施形態としては、上述の機能性のいずれか、および／またはいずれかの追加の機能性（上述の解決策に対応するのに必要ないずれかの機能性を含む）を含む、無線ネットワークノードの機能性の特定の態様を提供することに関与してもよい、図１０に示されるものを超える追加のコンポーネントを挙げることができる。様々な異なるタイプのネットワークノードは、同じ物理ハードウェアを有するが、異なる無線アクセス技術に対応するように（例えば、プログラミングを介して）構成された、コンポーネントを含んでもよく、または部分的もしくは全体的に異なる物理コンポーネントを表してもよい。
【０１２８】
図９〜１０に関して記載したものに類似したプロセッサ、インターフェース、およびメモリは、他のネットワークノード（コアネットワークノード４４０）などに含まれてもよい。他のネットワークノードは、任意に、無線インターフェース（図９〜１０に記載される送受信機など）を含むか、または含まなくてもよい。記載される機能性は、同じ無線ノードもしくはネットワークノード内に常駐してもよく、または複数の無線ノードおよびネットワークノードにわたって分散されてもよい。
【０１２９】
図１１は、特定の実施形態による、第２の無線ノード１１００の一例を示している。第２の無線ノード１１００は無線デバイス４１０であることができる。第２の無線ノード１１００は、受信モジュール１１１０、選択モジュール１１２０、および送信モジュール１１３０を含んでもよい。
【０１３０】
特定の実施形態では、受信モジュール１１１０は、図７のステップ７１０および図１３のステップ（またはブロック）１３１０などのステップを含んでもよい、ステップの組み合わせを実施してもよい。
【０１３１】
特定の実施形態では、選択モジュール１１２０は、図７のステップ７２０および図１３のステップ（またはブロック）１３２０などのステップを含んでもよい、ステップの組み合わせを実施してもよい。
【０１３２】
特定の実施形態では、送信モジュール１１３０は、図７のステップ７３０および図１３のステップ（またはブロック）１３３０などのステップを含んでもよい、ステップの組み合わせを実施してもよい。
【０１３３】
特定の実施形態では、受信モジュール１１１０、選択モジュール１１２０、および送信モジュール１１３０は、図９に関して記載したものなど、１つまたは複数のプロセッサを使用して実現されてもよい。モジュールは、記載される機能性を実施するのに適した任意の方式で、統合または分離されてもよい。
【０１３４】
図１２は、特定の実施形態による、無線アクセスノードまたはネットワークノード４２０など、第１の無線ノードの一例を示している。第１の無線ノードは、決定モジュール１２１０、送出モジュール１２２０、および受信モジュール１２３０を含んでもよい。
【０１３５】
特定の実施形態では、決定モジュール１２１０は、図８のステップ８１０などのステップを含んでもよい、ステップの組み合わせを実施してもよい。
【０１３６】
特定の実施形態では、送出モジュール１２２０は、図８のステップ８２０および図１４のステップ（またはブロック）１４１０などのステップを含んでもよい、ステップの組み合わせを実施してもよい。
【０１３７】
特定の実施形態では、受信モジュール１２３０は、図８のステップ８３０および図１４のステップ（またはブロック）１４２０などのステップを含んでもよい、ステップの組み合わせを実施してもよい。
【０１３８】
特定の実施形態では、決定モジュール１２１０、送出モジュール１２２０、および受信モジュール１２３０は、図１０に関して記載したものなど、１つまたは複数のプロセッサを使用して実現されてもよい。モジュールは、記載される機能性を実施するのに適した任意の方式で、統合または分離されてもよい。
【０１３９】
いくつかの実施形態によれば、図９の無線デバイス４１０、および図１１の第２の無線ノード、および図１０の無線アクセスノード４２０、および図１２の第１の無線ノードの仮想化実装が可能である。本明細書で使用するとき、「仮想化」ネットワークノード（例えば、仮想化基地局または仮想化無線アクセスノード）は、ネットワークの機能性の少なくとも一部分が（例えば、ネットワークの物理処理ノードに対して実行する仮想マシンを介して）仮想コンポーネントとして実現される、ネットワークノードの実現例である。無線デバイス４１０および無線アクセスノード４２０（上述）の機能は、１つまたは複数の処理回路構成９１０および１０１０でそれぞれ実現されるか、またはクラウドコンピューティングシステムにわたって分散される。いくつかの特定の実施形態では、無線デバイス４１０および無線アクセスノード４２０（本明細書に記載）の機能の一部または全ては、処理ノードがホストする仮想環境で実現される１つまたは複数の仮想マシンによって実行される、仮想コンポーネントとして実現される。
【０１４０】
本明細書に記載するいずれのステップまたは機能も、特定の実施形態の例示にすぎない。全ての実施形態が開示される全てのステップまたは機能を組み込むことも、あるいはステップが本明細書に描写もしくは記載した正確な順序で実施されることも必須ではない。更に、いくつかの実施形態は、本明細書に開示されるステップのうち１つもしくは複数に固有のステップを含む、本明細書に例証もしくは記載されないステップまたは特徴を含んでもよい。
【０１４１】
本明細書に記載されるいずれか２つ以上の実施形態が、任意の形で互いに組み合わされてもよい。更に、記載される実施形態は、記載される無線アクセス技術（例えば、ＬＴＥ  ＮＲ）に限定されない。つまり、記載される実施形態を他の無線アクセス技術に適合させることができる。
【０１４２】
本明細書に記載されるシステムおよび装置に対して、本開示の範囲から逸脱することなく、修正、追加、または省略が行われてもよい。システムおよび装置の構成要素は統合または分離されてもよい。更に、システムおよび装置の動作は、より多数、より少数、または他の構成要素によって実施されてもよい。それに加えて、システムおよび装置の動作は、ソフトウェア、ハードウェア、および／または他の論理を含む、任意の適切な論理を使用して実施されてもよい。本明細書で使用するとき、「各」は、セットのそれぞれの部材、またはセットのサブセットにおけるそれぞれの部材を指す。
【０１４３】
本明細書に記載される方法に対して、本開示の範囲から逸脱することなく、修正、追加、または省略が行われてもよい。方法は、より多数、より少数、または他のステップを含んでもよい。それに加えて、ステップは任意の適切な順序で実施されてもよい。概して、特許請求の範囲において使用される全ての用語は、本明細書において別の形で明示的に定義されない限り、技術分野におけるそれらの本来の意味にしたがって解釈されるべきである。「要素、装置、構成要素、手段、ステップなど」に対する全ての参照は、別の形で明示的に言及されない限り、要素、装置、構成要素、手段、ステップなどの少なくとも一例を指すものと広く解釈されるべきである。本明細書に開示するいずれかの方法のステップは、明示的に言及されない限り、開示される正確な順序で必ずしも実施されなくてもよい。
【０１４４】
本発明の上記に記載した実施形態は単なる例であるものとする。特定の実施形態に対して、本発明の範囲から逸脱することなく、添付の特許請求の範囲によってのみ定義される、変更、修正、および変形が当業者によって行われてもよい。
本開示で使用される略語の一部は以下の通りである。
１ｘＲＴＴ    ＣＤＭＡ２０００  １ｘ無線送信技術
ＡＢＳ    オールモストブランクサブフレーム
ＡＲＱ    自動再送要求
ＡＷＧＮ    加算性白色ガウス雑音
ＢＣＣＨ    ブロードキャスト制御チャネル
ＢＣＨ    ブロードキャストチャネル
ＣＡ    キャリアアグリゲーション
ＣＣＣＨ  ＳＤＵ    共通制御チャネルＳＤＵ
ＣＤＭＡ    符号分割多重化アクセス
ＣＧＩ    セルグローバル識別子
ＣＰ    サイクリックプレフィックス
ＣＰＩＣＨ    共通パイロットチャネル
ＣＰＩＣＨ  Ｅｃ／Ｎｏ    ＣＰＩＣＨのチップ当たり受信エネルギーをバンドの電力密度で割ったもの
ＣＱＩ    チャネル品質情報
ＣＲＣ    巡回冗長検査
Ｃ−ＲＮＴＩ    セルＲＮＴＩ
ＣＳＩ    チャネル状態情報
ＤＣＣＨ    専用制御チャネル
ＤＬ    ダウンリンク
ＤＲＸ    間欠受信
ＤＴＸ    間欠送信
ＤＴＣＨ    専用トラフィックチャネル
ＤＵＴ    被試験デバイス
Ｅ−ＣＩＤ    拡張セルＩＤ（測位方法）
ＥＣＧＩ    エボルブドＣＧＩ
ｅＮＢ    Ｅ−ＵＴＲＡＮノードＢ
ｅＰＤＣＣＨ    拡張物理ダウンリンク制御チャネル
Ｅ−ＳＭＬＣ    エボルブドサービングモバイル位置情報センタ
Ｅ−ＵＴＲＡ    エボルブドＵＴＲＡ
Ｅ−ＵＴＲＡＮ    エボルブドＵＴＲＡＮ
ＦＤＤ    周波数分割複信
ＧＥＲＡＮ    ＧＳＭ  ＥＤＧＥ無線アクセスネットワーク
ＧＳＭ    モバイル通信用グローバルシステム
ｇＮＢ    ＮＲの基地局
ＨＡＲＱ    ハイブリッド自動再送要求
ＨＯ    ハンドオーバ
ＨＳＰＡ    高速パケットアクセス
ＨＲＰＤ    高速パケットデータ
ＬＰＰ    ＬＴＥ測位プロトコル
ＬＴＥ    ロングタームエボリューション
ＭＡＣ    媒体アクセス制御
ＭＢＭＳ    マルチメディアブロードキャストマルチキャストサービス
ＭＢＳＦＮ    マルチメディアブロードキャストマルチキャストサービス単一周波数ネットワーク
ＭＢＳＦＮ  ＡＢＳ    ＭＢＳＦＮオールモストブランクサブフレーム
ＭＤＴ    ドライブ試験の最小化
ＭＩＢ    マスタ情報ブロック
ＭＭＥ    モビリティ管理エンティティ
ＭＳＣ    移動交換局
ＮＰＤＣＣＨ    狭帯域物理ダウンリンク制御チャネル
ＮＲ    新無線
ＯＣＮＧ    ＯＦＤＭＡチャネル雑音発生器
ＯＦＤＭ    直交周波数分割多重
ＯＦＤＭＡ    直交周波数分割アクセス
ＯＳＳ    動作サポートシステム
ＯＴＤＯＡ    観察される到着時間差
Ｏ＆Ｍ    動作およびメンテナンス
ＰＢＣＨ    物理ブロードキャストチャネル
Ｐ−ＣＣＰＣＨ    プライマリ共通制御物理チャネル
ＰＣｅｌｌ    プライマリセル
ＰＣＦＩＣＨ    物理制御フォーマットインジケータチャネル
ＰＤＣＣＨ    物理ダウンリンク制御チャネル
ＰＤＣＨ    物理データチャネル
ＰＤＳＣＨ    物理ダウンリンク共有チャネル
ＰＧＷ    パケットゲートウェイ
ＰＨＩＣＨ    物理ハイブリッドＡＲＱインジケータチャネル
ＰＬＭＮ    公衆携帯電話網
ＰＭＩ    プリコーダマトリクスインジケータ
ＰＲＡＣＨ    物理ランダムアクセスチャネル
ＰＲＳ    測位参照信号
ＰＳＳ    プライマリ同期信号
ＰＵＣＣＨ    物理アップリンク制御チャネル
ＰＵＳＣＨ    物理アップリンク共有チャネル
ＲＢ    リソースブロック
ＲＬＭ    無線リンク管理
ＲＲＣ    無線リソース制御
ＲＳＣＰ    受信信号コード電力
ＲＳＲＰ    参照信号受信電力
ＲＳＲＱ    参照信号受信品質
ＲＳＳＩ    受信信号強度インジケータ
ＲＳＴＤ    参照信号時間差
ＱＡＭ    直角位相振幅変調
ＲＡＣＨ    ランダムアクセスチャネル
ＲＡＲ    ランダムアクセス応答
ＲＡＴ    無線アクセス技術
ＲＮＣ    無線ネットワークコントローラ
ＲＮＴＩ    無線ネットワーク仮識別子
ＲＲＣ    無線リソース制御
ＲＲＭ    無線リソース管理
ＳＣＨ    同期チャネル
ＳＣｅｌｌ    セカンダリセル
ＳＤＵ    サービスデータユニット
ＳＦＮ    システムフレーム番号
ＳＧＷ    サービングゲートウェイ
ＳＩ    システム情報
ＳＩＢ    システム情報ブロック
ＳＮＲ    信号雑音比
ＳＯＮ    自己最適化ネットワーク
ＳＳ    同期信号
ＳＳＳ    セカンダリ同期信号
ＴＤＤ    時分割複信
ＴＲＰ    送受信ポイント
ＴＴＩ    送信時間間隔
ＵＥ    ユーザ機器
ＵＬ    アップリンク
ＵＭＴＳ    ユニバーサル移動体通信システム
ＵＴＲＡ    ユニバーサル地上無線アクセス
ＵＴＲＡＮ    ユニバーサル地上無線アクセスネットワーク
ＷＣＤＭＡ    広帯域ＣＤＭＡ
ＷＬＡＮ    無線ローカルエリアネットワーク
ＺＣ    Ｚａｄｏｆｆ−Ｃｈｕ
【０１４５】
例示の実施形態
１．物理ランダムアクセスチャネル（ＰＲＡＣＨ）プリアンブル送信に対する複数のＰＲＡＣＨリソースの割当てを決定することであって、各ＰＲＡＣＨリソースが、時間、周波数、およびシーケンスの組み合わせを含む、決定することと、
複数のＰＲＡＣＨリソースの決定された割当てをユーザ機器（ＵＥ）に対して送出することと、
ＰＲＡＣＨプリアンブルをＵＥから受信することであって、ＰＲＡＣＨプリアンブルが、複数のＰＲＡＣＨリソースから選択されたＰＲＡＣＨリソースにおいて送信される、受信することとを含む、第１の無線ノードにおける方法。
２．第１の無線ノードがネットワークノードである、実施例１の方法。
３．複数のＰＲＡＣＨリソースの割当てを決定することが、時間、周波数、およびシーケンスの組み合わせを使用して、複数のＰＲＡＣＨリソースを構成することを含む、実施例１または２の方法。
４．複数のＰＲＡＣＨリソースの構成が、物理ブロードキャストチャネル（ＰＢＣＨ）のマスタ情報ブロック（ＭＩＢ）において与えられる、実施例１から３のいずれかの方法。
５．ＭＩＢが、時間に対する第１のインジケータと、周波数に対する第２のインジケータと、シーケンスに対する第３のインジケータとを含み、第１、第２、および第３のインジケータが別個のインジケータである、実施例４の方法。
６．第１のインジケータがタイミングオフセットを示し、第２のインジケータが周波数リソースを示し、第３のインジケータがプリアンブルルートサブセットを示す、実施例５の方法。
７．いくつかの同期信号およびＰＢＣＨ送信が、異なるビームで第１の無線ノードから送信される、実施例４から６のいずれかの方法。
８．ＭＩＢが、時間、周波数、およびシーケンスの組み合わせを示す、ＰＲＡＣＨプリアンブルインデックスを含む、実施例４の方法。
９．シーケンスが、７１のサブキャリアを有するザドフ−チュウシーケンスに対する１から７０のルートシーケンスを含む、実施例８の方法。
１０．シーケンスが、ルートシーケンスのサイクリックシフトを更に含む、実施例９の方法。
１１．周波数が、ＰＲＡＣＨ信号の位置を説明するサブバンドインデックスを含む、実施例８の方法。
１２．時間が、ＰＲＡＣＨプリアンブルの今後のサブフレームを示すタイミングオフセットを含む、実施例８の方法。
１３．ＰＲＡＣＨプリアンブルインデックスが、各インデックスに対するシーケンス、周波数リソース、および時間リソースの１つの構成を収容したテーブルにマッピングされる、実施例８の方法。
１４．ＭＩＢにおける時間、周波数、およびシーケンスの許可された組み合わせのセットをリスト化することを更に含む、実施例４の方法。
１５．回路構成を含み、実施例１から１４の方法のうち任意の１つまたは複数を実施するように動作可能である、第１の無線ノード。
１６．回路構成がメモリおよび１つまたは複数のプロセッサを含む、実施例１５の第１の無線ノード。
１７．コンピュータ可読プログラムコードが媒体に埋め込まれた非一時的コンピュータ可読記憶媒体を備え、コンピュータ可読プログラムコードが、実施例１から１４の方法のうち任意の１つまたは複数を実施するコンピュータ可読コードを含む、コンピュータプログラム製品。
１８．物理ランダムアクセスチャネル（ＰＲＡＣＨ）プリアンブル送信に対する複数のＰＲＡＣＨリソースの割当てを含むメッセージを、ネットワークノードから受信することであって、各ＰＲＡＣＨリソースが、時間、周波数、およびシーケンスの組み合わせを含む、受信することと、
複数のＰＲＡＣＨリソースの中からＰＲＡＣＨリソースを選択することと、
選択されたＰＲＡＣＨリソースを使用して、ＰＲＡＣＨプリアンブルをネットワークノードに送信することとを含む、第２の無線ノードにおける方法。
１９．ＰＲＡＣＨリソースを選択することが、複数のＰＲＡＣＨリソースの中からＰＲＡＣＨリソースを無作為に選択することを含む、実施例１８の方法。
２０．ＰＲＡＣＨリソースを選択することが、特定の判定基準に基づいてＰＲＡＣＨリソースを選択することを含む、実施例１８の方法。
２１．第２の無線ノードが無線デバイスである、実施例１８から２０のいずれかの方法。
２２．回路構成を含み、実施例１８から２１の方法のうち任意の１つまたは複数を実施するように動作可能である、第２の無線ノード。
２３．回路構成がメモリおよび１つまたは複数のプロセッサを含む、実施例２２の第２の無線ノード。
２４．コンピュータ可読プログラムコードが媒体に埋め込まれた非一時的コンピュータ可読記憶媒体を備え、コンピュータ可読プログラムコードが、実施例１８から２１の方法のうち任意の１つまたは複数を実施するコンピュータ可読コードを含む、コンピュータプログラム製品。
２５．命令を収容した回路構成を含み、命令が実行されると、上述した例示の実施形態の方法のいずれかを第１または第２の無線ノードが実施する、ノード。
２６．ノードに対する実行可能命令を格納するように構成され、実行可能命令が、１つまたは複数のプロセッサによって実行されると、上述した例示の実施形態の方法のいずれかを第１または第２の無線ノードが実施する、非一時的コンピュータ可読メモリ。
【図１】
2019537891.tif 000004
【図２】
2019537891.tif 000005
【図３】
2019537891.tif 000006
【図４】
2019537891.tif 000007
【図５】
2019537891.tif 000008
【図６】
2019537891.tif 000009
【図７】
2019537891.tif 000010
【図８】
2019537891.tif 000011
【図９】
2019537891.tif 000012
【図１０】
2019537891.tif 000013
【図１１】
2019537891.tif 000014
【図１２】
2019537891.tif 000015
【図１３】
2019537891.tif 000016
【図１４】
2019537891.tif 000017
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
物理ランダムアクセスチャネル（ＰＲＡＣＨ）リソースの割当てを指示する複数の同期信号ブロック（ＳＳＢ）を無線デバイスに対して送出することであって、前記ＳＳＢがそれぞれ、１つまたは複数の時間リソースおよび１つまたは複数の周波数リソースにおける、複数のＰＲＡＣＨリソースを示す、送出することと、
前記複数のＳＳＢにおける前記複数のＰＲＡＣＨリソースのうち１つから選択された時間リソースおよび周波数リソースの間に、ＰＲＡＣＨプリアンブルを前記無線デバイスから受信することとを含む、ネットワークノードにおいてアクセス手順を実施する方法。
【請求項２】
前記１つまたは複数の時間リソースが時間間隔を含む、請求項１に記載の方法。
【請求項３】
前記１つまたは複数の時間リソースが、同期信号からの複数のタイミングオフセットを含む、請求項１に記載の方法。
【請求項４】
前記１つまたは複数の周波数リソースが、周波数間隔を含む、請求項１から３のいずれか一項に記載の方法。
【請求項５】
前記１つまたは複数の周波数リソースが、１つまたは複数の周波数サブバンドを含む、請求項１から３のいずれか一項に記載の方法。
【請求項６】
前記複数のＰＲＡＣＨリソースが１つまたは複数のシーケンスを更に含む、請求項１から５のいずれか一項に記載の方法。
【請求項７】
前記１つまたは複数のシーケンスが、ルートシーケンスのセットおよびサイクリックシフトのセットの組み合わせを含む、請求項６に記載の方法。
【請求項８】
前記複数のＳＳＢが複数の物理ブロードキャストチャネル（ＰＢＣＨ）と関連付けられる、請求項６または７に記載の方法。
【請求項９】
前記ＰＲＡＣＨリソースの前記割当ての前記指示が、前記物理ブロードキャストチャネル（ＰＢＣＨ）のマスタ情報ブロック（ＭＩＢ）によって与えられる、請求項８に記載の方法。
【請求項１０】
前記複数のＳＳＢが異なるビームで送出される、請求項１から９のいずれか一項に記載の方法。
【請求項１１】
前記ＭＩＢが、前記１つまたは複数の時間リソースを示す第１のインジケータと、前記１つまたは複数の周波数リソースを示す第２のインジケータと、前記１つまたは複数のシーケンスを示す第３のインジケータとを含み、前記第１、第２、および第３のインジケータが別個のインジケータである、請求項９に記載の方法。
【請求項１２】
前記ＭＩＢが、時間リソース、周波数リソース、およびシーケンスの組み合わせを示すＰＲＡＣＨプリアンブルインデックスを含む、請求項９に記載の方法。
【請求項１３】
前記ＰＲＡＣＨプリアンブルインデックスがテーブルにマッピングされ、前記テーブルがインデックスのリストを有し、各インデックスが、１つまたは複数の時間リソース、１つまたは複数の周波数リソース、および１つまたは複数のシーケンスの１つの構成に対応する、請求項１２に記載の方法。
【請求項１４】
前記ＭＩＢが、時間リソース、周波数リソース、およびシーケンスの許可された組み合わせのセットを明示的にリスト化する、請求項９に記載の方法。
【請求項１５】
ネットワークノードの処理回路によって実行されると、請求項１から１４の方法のいずれか１つを前記ネットワークに実施させる実行可能命令を含む、コンピュータプログラム。
【請求項１６】
電子信号、光信号、無線信号、またはコンピュータ可読記憶媒体のうち１つである、請求項１５のコンピュータプログラムを収容したキャリア。
【請求項１７】
異種通信ネットワークの中継ノードの処理回路によって実行されると、請求項１から１４の方法のいずれか１つを前記中継ノードに実施させる実行可能命令を含むコンピュータプログラムを収容した、非一時的コンピュータ可読記憶媒体。
【請求項１８】
アクセス手順を実施するネットワークノードであって、処理回路構成と該処理回路構成に接続されたメモリとを含み、前記メモリが命令を含み、前記命令が実行されると、
物理ランダムアクセスチャネル（ＰＲＡＣＨ）リソースの割当てを指示する複数の同期信号ブロック（ＳＳＢ）を無線デバイスに対して送出することであって、前記ＳＳＢがそれぞれ、１つまたは複数の時間リソースおよび１つまたは複数の周波数リソースにおける、複数のＰＲＡＣＨリソースを示す、送出することと、
前記複数のＳＳＢにおける前記複数のＰＲＡＣＨリソースのうち１つから選択された時間リソースおよび周波数リソースの間に、ＰＲＡＣＨプリアンブルを前記無線デバイスから受信することとを、前記処理回路構成が行う、ネットワークノード。
【請求項１９】
前記１つまたは複数の時間リソースが時間間隔を含む、請求項１８に記載のネットワークノード。
【請求項２０】
前記１つまたは複数の時間リソースが、同期信号からの複数のタイミングオフセットを含む、請求項１８に記載のネットワークノード。
【請求項２１】
前記１つまたは複数の周波数リソースが、周波数または周波数間隔を含む、請求項１８から２０のいずれか一項に記載のネットワークノード。
【請求項２２】
前記１つまたは複数の周波数リソースが、１つまたは複数の周波数サブバンドを含む、請求項１８から２０のいずれか一項に記載のネットワークノード。
【請求項２３】
前記複数のＰＲＡＣＨリソースが１つまたは複数のシーケンスを更に含む、請求項１８から２２のいずれか一項に記載のネットワークノード。
【請求項２４】
前記１つまたは複数のシーケンスが、ルートシーケンスのセットおよびサイクリックシフトのセットの組み合わせを含む、請求項２３に記載のネットワークノード。
【請求項２５】
前記複数のＳＳＢが複数の物理ブロードキャストチャネル（ＰＢＣＨ）と関連付けられる、請求項２３から２４のいずれか一項に記載のネットワークノード。
【請求項２６】
前記ＰＲＡＣＨリソースの前記割当ての前記指示が、前記物理ブロードキャストチャネル（ＰＢＣＨ）のマスタ情報ブロック（ＭＩＢ）によって与えられる、請求項２５に記載のネットワークノード。
【請求項２７】
前記処理回路構成が、異なるビームを使用して前記複数のＳＳＢを送出するように構成される、請求項１８から２６のいずれか一項に記載のネットワークノード。
【請求項２８】
前記ＭＩＢが、前記１つまたは複数の時間リソースを示す第１のインジケータと、前記１つまたは複数の周波数リソースを示す第２のインジケータと、前記１つまたは複数のシーケンスを含む第３のインジケータとを含み、前記第１、第２、および第３のインジケータが別個のインジケータである、請求項２６に記載のネットワークノード。
【請求項２９】
前記ＭＩＢが、時間リソース、周波数リソース、およびシーケンスの組み合わせを示すＰＲＡＣＨプリアンブルインデックスを含む、請求項２６に記載のネットワークノード。
【請求項３０】
前記ＰＲＡＣＨプリアンブルインデックスがテーブルにマッピングされ、前記テーブルがインデックスのリストを有し、各インデックスが、１つまたは複数の時間リソース、１つまたは複数の周波数リソース、および１つまたは複数のシーケンスの１つの構成に対応する、請求項２９に記載のネットワークノード。
【請求項３１】
前記ＭＩＢが、時間リソース、周波数リソース、およびシーケンスの許可された組み合わせのセットを明示的にリスト化する、請求項２６に記載のネットワークノード。
【請求項３２】
無線デバイスにおいてアクセス手順を実施する方法であって、
物理ランダムアクセスチャネル（ＰＲＡＣＨ）リソースの割当てを指示する複数の同期信号ブロック（ＳＳＢ）を前記無線デバイスに対して受信することであって、前記ＳＳＢがそれぞれ、１つまたは複数の時間リソースおよび１つまたは複数の周波数リソースにおける、複数のＰＲＡＣＨリソースを示す、受信することと、
前記複数のＳＳＢの前記複数のＰＲＡＣＨリソースからＰＲＡＣＨリソースを選択することと、
前記選択されたＰＲＡＣＨリソースを使用してＰＲＡＣＨプリアンブルを、ネットワークノードに送信することとを含む、方法。
【請求項３３】
前記ＰＲＡＣＨリソースを選択することが、前記複数のＰＲＡＣＨリソースの中からＰＲＡＣＨリソースを無作為に選択することを含む、請求項３２に記載の方法。
【請求項３４】
前記ＰＲＡＣＨリソースを選択することが、特定の判定基準に基づいてＰＲＡＣＨリソースを選択することを含む、請求項３２に記載の方法。
【請求項３５】
前記１つまたは複数の時間リソースが時間間隔を含む、請求項３２から３４のいずれか一項に記載の方法。
【請求項３６】
前記１つまたは複数の時間リソースが、同期信号からの複数のタイミングオフセットを含む、請求項３２から３４のいずれか一項に記載の方法。
【請求項３７】
前記１つまたは複数の周波数リソースが、周波数または周波数間隔を含む、請求項３２から３６のいずれか一項に記載の方法。
【請求項３８】
前記１つまたは複数の周波数リソースが、１つまたは複数の周波数サブバンドを含む、請求項３２から３６のいずれか一項に記載の方法。
【請求項３９】
前記複数のＰＲＡＣＨリソースが１つまたは複数のシーケンスを含む、請求項３２から３８のいずれか一項に記載の方法。
【請求項４０】
前記１つまたは複数のシーケンスが、ルートシーケンスのセットおよびサイクリックシフトのセットの組み合わせを含む、請求項３９に記載の方法。
【請求項４１】
前記複数のＳＳＢが複数の物理ブロードキャストチャネル（ＰＢＣＨ）と関連付けられる、請求項３９から４０のいずれか一項に記載の方法。
【請求項４２】
前記複数のＰＲＡＣＨリソースの前記割当ての前記指示が、前記物理ブロードキャストチャネル（ＰＢＣＨ）のマスタ情報ブロック（ＭＩＢ）によって与えられる、請求項４１に記載の方法。
【請求項４３】
前記複数のＳＳＢが異なるビームで前記ネットワークノードから送出される、請求項３２から４２のいずれか一項に記載の方法。
【請求項４４】
前記ＭＩＢが、前記１つまたは複数の時間リソースを示す第１のインジケータと、前記１つまたは複数の周波数リソースを示す第２のインジケータと、前記１つまたは複数のシーケンスを示す第３のインジケータとを含み、前記第１、第２、および第３のインジケータが別個のインジケータである、請求項４２に記載の方法。
【請求項４５】
前記ＭＩＢが、時間リソース、周波数リソース、およびシーケンスの組み合わせを示すＰＲＡＣＨプリアンブルインデックスを含む、請求項４２に記載の方法。
【請求項４６】
前記ＰＲＡＣＨプリアンブルインデックスがテーブルにマッピングされ、前記テーブルがインデックスのリストを有し、各インデックスが、１つまたは複数の時間リソース、１つまたは複数の周波数リソース、および１つまたは複数のシーケンスの１つの構成に対応する、請求項４５に記載の方法。
【請求項４７】
前記ＭＩＢが、時間リソース、周波数リソース、およびシーケンスの許可された組み合わせのセットを明示的にリスト化する、請求項４２に記載の方法。
【請求項４８】
前記選択されたＰＲＡＣＨに基づいてＰＲＡＣＨプリアンブルを生成することを更に含む、請求項３２から４７のいずれか一項に記載の方法。
【請求項４９】
アクセス手順を実施する無線デバイスであって、処理回路構成と該処理回路構成に接続されたメモリとを含み、前記メモリが命令を含み、前記命令が実行されると、
物理ランダムアクセスチャネル（ＰＲＡＣＨ）リソースの割当てを指示する複数の同期信号ブロック（ＳＳＢ）を前記無線デバイスに対して受信することであって、前記ＳＳＢがそれぞれ、１つまたは複数の時間リソースおよび１つまたは複数の周波数リソースにおける、複数のＰＲＡＣＨリソースを示す、受信することと、
前記複数のＳＳＢの前記複数のＰＲＡＣＨリソースからＰＲＡＣＨリソースを選択することと、
前記選択されたＰＲＡＣＨリソースを使用してＰＲＡＣＨプリアンブルを、ネットワークノードに送信することとを、前記処理回路構成が行う、無線デバイス。
【請求項５０】
前記処理回路構成が、前記複数のＰＲＡＣＨリソースの中からＰＲＡＣＨリソースを無作為に選択するように構成される、請求項４９に記載の無線デバイス。
【請求項５１】
前記処理回路構成が、特定の判定基準に基づいてＰＲＡＣＨリソースを選択するように構成される、請求項４９に記載の無線デバイス。
【請求項５２】
前記１つまたは複数の時間リソースが時間間隔を含む、請求項４９から５１のいずれか一項に記載の無線デバイス。
【請求項５３】
前記１つまたは複数の時間リソースが、同期信号からの複数のタイミングオフセットを含む、請求項４９から５１のいずれか一項に記載の無線デバイス。
【請求項５４】
前記１つまたは複数の周波数リソースが、周波数または周波数間隔を含む、請求項４９から５３のいずれか一項に記載の無線デバイス。
【請求項５５】
前記１つまたは複数の周波数リソースが、１つまたは複数の周波数サブバンドを含む、請求項４９から５３のいずれか一項に記載の無線デバイス。
【請求項５６】
前記複数のＰＲＡＣＨリソースが１つまたは複数のシーケンスを含む、請求項４９から５５のいずれか一項に記載の無線デバイス。
【請求項５７】
前記１つまたは複数のシーケンスが、ルートシーケンスのセットおよびサイクリックシフトのセットの組み合わせを含む、請求項５６に記載の無線デバイス。
【請求項５８】
前記複数のＳＳＢが複数の物理ブロードキャストチャネル（ＰＢＣＨ）と関連付けられる、請求項４９から５７のいずれか一項に記載の無線デバイス。
【請求項５９】
前記処理回路構成が、前記物理ブロードキャストチャネル（ＰＢＣＨ）のマスタ情報ブロック（ＭＩＢ）における、前記複数のＰＲＡＣＨリソースの前記割当ての前記指示を受信するように構成される、請求項５８に記載の無線デバイス。
【請求項６０】
前記処理回路構成が、前記複数のＳＳＢを異なるビームで受信するように構成される、請求項４９から５９のいずれか一項に記載の無線デバイス。
【請求項６１】
前記ＭＩＢが、前記１つまたは複数の時間リソースを示す第１のインジケータと、前記１つまたは複数の周波数リソースを示す第２のインジケータと、前記１つまたは複数のシーケンスを示す第３のインジケータとを含み、前記第１、第２、および第３のインジケータが別個のインジケータである、請求項５９に記載の無線デバイス。
【請求項６２】
前記ＭＩＢが、時間リソース、周波数リソース、およびシーケンスの組み合わせを示すＰＲＡＣＨプリアンブルインデックスを含む、請求項５９に記載の無線デバイス。
【請求項６３】
前記ＰＲＡＣＨプリアンブルインデックスがテーブルにマッピングされ、前記テーブルがインデックスのリストを有し、各インデックスが、１つまたは複数の時間リソース、１つまたは複数の周波数リソース、および１つまたは複数のシーケンスの１つの構成に対応する、請求項６２に記載の無線デバイス。
【請求項６４】
前記ＭＩＢが、時間リソース、周波数リソース、およびシーケンスの許可された組み合わせのセットを明示的にリスト化する、請求項５９に記載の無線デバイス。
【請求項６５】
前記処理回路構成が、前記選択されたＰＲＡＣＨリソースに基づいてＰＲＡＣＨプリアンブルを生成するように構成される、請求項４９から６４のいずれか一項に記載の無線デバイス。
【国際調査報告】
2019537891.tif 000018
2019537891.tif 000019
2019537891.tif 000020
2019537891.tif 000021
2019537891.tif 000022